(57)【要約】      （修正有）【課題】非常に安定であり、冷却システムにおける冷媒などとしての用途において有利に用いることができるＣＦ３Ｉのようなヨードカーボン化合物を含む組成物の提供。【解決手段】少なくとも１種類のヨードカーボン化合物、及び好ましくは少なくとも１種類の安定化剤を含む組成物。これらの組成物は、一般に、加熱及び冷却用の冷媒として、発泡剤として、エアゾール噴射剤として、溶媒組成物として、並びに消火剤及び火炎抑制剤として有用である。【選択図】なし【特許請求の範囲】
【請求項１】
（ａ）少なくとも１種類のヨードカーボン；
（ｂ）該ヨードカーボン以外の少なくとも１種類の冷媒化合物；及び
（ｃ）（１）少なくとも２つの炭素−炭素二重結合及び少なくとも４個の炭素原子を有するジエンベースの化合物；（２）式（Ｅ１）及び（Ｅ２）：
【化１】
2018109185.tif 000020
（式中、
Ｒ１は、少なくとも３個の炭素原子を有する脂肪族基であり；
Ｒ２は、４又は５個の炭素原子を有する脂肪族基、又は多環式芳香族基である）
にしたがう化合物から選択されるエポキシ化合物；
（３）下式Ｐ１：
【化２】
2018109185.tif 000021
（式中、それぞれのＲは、独立して、フェニル基、又は少なくとも６個であるが１５個未満の炭素原子を有するカルボキシレート基である）
にしたがうホスファイト；
（４）非ヒンダード又は弱ヒンダードフェノール類；及び
（５）これらの任意の２以上の組み合わせ；
からなる群から選択され、少なくとも１種類のヨードカーボンを劣化に対して安定化させるのに有効な量で存在する少なくとも１種類の安定化化合物；
を含む熱伝達組成物。
【請求項２】
Ｒ１が４〜６個の炭素原子を有する不飽和脂肪族基であり、Ｒ２がナフチル基であり、少なくとも１種類のヨードカーボンがＣＦ３Ｉを含む、請求項１に記載の熱伝達組成物。
【請求項３】
安定化化合物が、（１）少なくとも２つの炭素−炭素二重結合及び少なくとも４個の炭素原子を有するジエンベースの化合物；（２）式（Ｅ１）及び（Ｅ２）：
【化３】
2018109185.tif 000022
（式中、
Ｒ１は、少なくとも３個の炭素原子を有する脂肪族基であり；
Ｒ２は、４又は５個の炭素原子を有する脂肪族基、又は多環式芳香族基である）
にしたがう化合物から選択されるエポキシ化合物；
（３）下式Ｐ１：
【化４】
2018109185.tif 000023
（式中、それぞれのＲは、独立して、フェニル基、又は少なくとも６個であるが１５個未満の炭素原子を有するカルボキシレート基である）
にしたがうホスファイト；
及び（１）〜（３）の任意の２以上の組み合わせ；
からなる群から選択される、請求項１に記載の組成物。
【請求項４】
安定化化合物が、ミルセン、ゲラニオール、ファルネソール、リモネン、ジフェニルホスファイト、１，２−エポキシヘキセン、ジラウリルハイドロジェンホスファイト、２，４−ジメチル−６−ｔｅｒｔ−ブチルフェノール、トコフェロール、及びこれらの２以上の組み合わせからなる群から選択される、請求項１に記載の組成物。
【請求項５】
（ａ）少なくとも１種類のヨードカーボン；
（ｂ）該ヨードカーボン以外の少なくとも１種類の冷媒化合物；
（ｃ）ポリアルキレングリコール（ＰＡＧ）を含む少なくとも１種類の潤滑剤；
（ｄ）ジエンベースの化合物、エポキシド類、ホスフェート類、ホスファイト類、及びこれらの組み合わせからなる群から選択される少なくとも１種類の安定化化合物；
を含む熱伝達組成物。
【請求項６】
少なくとも１種類の安定化化合物が、熱伝達組成物に関する使用条件下において少なくとも１種類のヨードカーボンを劣化に対して安定化させるのに有効な量で組成物中に存在する、請求項５に記載の組成物。
【請求項７】
ジエンベースの化合物がブタジエンを含む、請求項５に記載の組成物。
【請求項８】
ジエンベースの化合物が、ミルセン、ゲラニオール、ファルネソール、リモネン、及びこれらの組み合わせからなる群から選択される少なくとも１種類のテルペンベースの化合物を含む、請求項７に記載の組成物。
【請求項９】
安定化化合物が、１，２−エポキシヘキサン、ナフチルグリシジルエーテル、及びこれ
らの組み合わせからなる群から選択されるエポキシド類を含む、請求項５に記載の組成物。
【請求項１０】
（ａ）ポリアルキレングリコール（ＰＡＧ）を含む少なくとも１種類の潤滑剤；
（ｂ）（１）少なくとも２つの炭素−炭素二重結合及び少なくとも４個の炭素原子を有するジエンベースの化合物；（２）式（Ｅ１）及び（Ｅ２）：
【化５】
2018109185.tif 000024
（式中、
Ｒ１は、少なくとも３個の炭素原子を有する脂肪族基であり；
Ｒ２は、４又は５個の炭素原子を有する脂肪族基、又は多環式芳香族基である）
にしたがう化合物から選択されるエポキシ化合物；
（３）下式Ｐ１：
【化６】
2018109185.tif 000025
（式中、それぞれのＲは、独立して、フェニル基、又は少なくとも６個であるが１５個未満の炭素原子を有するカルボキシレート基である）
にしたがうホスファイト；
（４）非ヒンダード又は弱ヒンダードフェノール類；及び
（５）これらの任意の２以上の組み合わせ；
からなる群から選択される少なくとも１種類の安定化化合物；
を含む、熱伝達システムにおいて用いるための潤滑油組成物。
【発明の詳細な説明】
【技術分野】
【０００１】
本出願は、２００４年１２月２１日出願の米国仮出願６０／６３８，００３の優先権の利益を主張する２００５年１２月２１日出願のＰＣＴ出願ＰＣＴ／ＵＳ０５／４６９８２の米国国内段階出願として２００８年３月１０日に出願された米国出願１１／７９５，７７９（これらの全部を参照として本明細書中に包含する）のそれぞれの部分継続出願である。本出願はまた、２００８年５月１５日出願の米国仮出願６１／０５３，６６３の優先権の利益を主張する２００９年５月１５日出願の米国出願１２／４６７，０６１（これらの全部を参照として本明細書中に包含する）の部分継続出願でもある。本出願はまた、２００７年１１月８日出願の米国出願１１／９３７，２６７の継続出願である２０１１年２月８日出願の米国出願１３／０２２，９０２の部分継続出願でもある。
【背景技術】
【０００２】
ハロゲン化炭化水素は、冷媒、エアゾール噴射剤、発泡剤、熱伝導媒体、及び気体状誘電体などとして様々な工業用途において広範な用途が見出されている。これらの用途の多くは、これまでは、クロロフルオロカーボン（ＣＦＣ）及びヒドロクロロフルオロカーボン（ＨＣＦＣ）を主要な量で含む組成物を使用してきた。しかしながら、懸念される環境問題が、これらのハロゲン化炭化水素の幾つかの使用と関連付けられるようになってきた、例えば、ＣＦＣとＨＣＦＣは両方とも、比較的高い地球温暖化係数を示す傾向がある。したがって、所期の用途にふさわしいが、同時にＣＦＣ及び他の好ましくないハロゲン化化合物よりも低い地球温暖化係数を有する組成物を用いることが、多くの用途において望まれるようになってきた。
【０００３】
本出願人らは、冷却（及び他の）用途において、ヨウ素化化合物を含む幾つかの組成物、特にトリフルオロヨードメタンを含む組成物を有利に用いて、その多くが高い地球温暖化係数を有する様々な塩素化化合物に置き換えて、それを原因とする環境破壊の可能性を減少させることができることを認識した。しかしながら、本出願人らは、トリフルオロヨードメタンのようなヨウ素化化合物は比較的不安定である傾向があり、特に幾つかの通常の冷却条件下においては、しばしばＣＦＣ、ＨＣＦＣ、及びヒドロフルオロカーボン（ＨＦＣ）よりも安定性が非常に低いことを更に認識した。
【０００４】
冷媒として、且つ他のＣＦＣ、ＨＣＦＣ、及びＨＦＣ流体の代替品として有用であるためには、ヨウ素化化合物を含む好適な組成物は安定でなければならない。本出願人らは、好適な安定なヨード組成物を製造するための一つの可能性のある方法は、その中で安定化化合物を用いることであることを認識した。
【０００５】
ＨＣＦＣ及びＣＦＣ組成物と共に用いるための様々な安定剤が知られている。ＨＦＣは、それらの非常に優れた安定性のために、当該技術において公知なように、それらの組成物中に含ませる安定剤を用いても用いなくてもよい。例えば、米国特許５，３８０，４４９においては、ジクロロトリフルオロエタン、並びに安定化量の少なくとも１種類のフェノール類及び少なくとも１種類の芳香族又はフッ素化アルキルエポキシドを含む組成物が開示されている。しかしながら、ヨード化合物は、ＣＦＣ及びＨＣＦＣよりも安定性が非常に低い傾向があるため、同一又は類似の化合物がＣＦＣ／ＨＣＦＣの代替品として用いるのに充分な程度までヨード化合物を安定化させることができるか否かを、ＣＦＣ及びＨＣＦＣに関する安定剤の教示（例えば‘４４９の開示）から予測することはできない。即ち、当業者によって認識されるように、Ｃ−Ｃｌ及びＣ−Ｆ結合は、Ｃ−Ｉ結合よりも少なくとも約１．５〜２倍強い傾向がある。したがって、ＨＣＦＣ又はＣＦＣを安定化させる化合物が、約２倍の量の安定性を加えることが必要であるヨード化合物を冷媒用途にお
いて有用にするのに好適であると期待することは、本質的にも必然的にも妥当ではない。
【０００６】
このように、本出願人らは、ＣＦＣ、ＨＣＦＣ、及びＨＦＣ冷媒の代替物としてなどの様々な用途のために充分に安定であるトリフルオロヨードメタンのようなヨード化合物を含む組成物を製造する必要性を認識した。
【０００７】
冷却用途において、これまで用いられている幾つかのＣＦＣ及びＨＣＦＣの代替物として幾つかのヨードカーボン化合物を用いることが提案されている。例えば、日本公開０９−０５９６１２（出願番号０７−２２０９６４）においては、トリフルオロヨードメタン及び１種類以上のフェノール系化合物を含む冷媒組成物が開示されている。この特許文献は、フェノール系組成物がトリフルオロヨードメタンを劣化に対して安定化させるように作用することを示している。
【先行技術文献】
【特許文献】
【０００８】
【特許文献１】米国特許５，３８０，４４９
【特許文献２】日本公開０９−０５９６１２
【発明の概要】
【発明が解決しようとする課題】
【０００９】
トリフルオロヨードメタンのための安定剤としてフェノール系化合物を含む組成物はある程度の成功を収めている可能性があるが、幾つかの用途においては、フェノール系化合物を使用しないか、又はかかる化合物をより低い濃度で使用することが望ましい可能性がある。例えば、フェノール類はヒドロキシル基の解離により概して酸性であり、比較的反応性である。これらの特徴は、幾つかの用途及び／又は幾つかの状況において望ましくない可能性がある。
【課題を解決するための手段】
【００１０】
本発明は、驚くほど安定であり、様々な冷却システムにおける冷媒などとして様々な用途において有利に用いることができる、トリフルオロヨードメタン（ＣＦ３Ｉ）のようなヨードカーボン化合物を含む様々な組成物を提供する。特に、本出願人らは、予期しなかったことに、一般的にヨードカーボン化合物、及びＣ１〜Ｃ５ヨードカーボン、更により好ましくはＣ１〜Ｃ２ヨードカーボン、特に（好ましいＣ１ヨードカーボンのように）トリフルオロヨードメタンを、具体的な化合物の組から選択される１種類以上の安定剤化合物と混合して、商業用途、工業用途、及び個人用途のために、特に、冷却システム、空調システム（自動車用空調システムを含む）等において用いるための熱伝達流体として好適な、非常によく安定化されたヨードカーボン含有組成物、好ましくはトリフルオロヨードメタン含有組成物を生成させることができることを見出した。更に、本組成物は、様々な用途のために十分に安定であるだけでなく、不燃性、並びに低いオゾン層破壊特性と地球温暖化特性の組み合わせの独特の組合せを示す傾向があり、このためにこれらはＣＦＣ、ＨＣＦＣ、及びＨＦＣ冷媒の代替物として特に有用な候補物質になる。
【発明を実施するための形態】
【００１１】
本明細書において用いる「ヨードカーボン」という用語は、少なくとも１つの炭素−ヨウ素結合を含み、ヨードフルオロカーボン（少なくとも１つの炭素−ヨウ素結合及び少なくとも１つの炭素−フッ素結合を有するが、炭素−炭素結合以外の他の結合を有しない化合物）、並びにヒドロヨードフルオロカーボン（少なくとも１つの炭素−ヨウ素結合、少なくとも１つの炭素−フッ素結合、少なくとも１つの炭素−水素結合を有するが、炭素−炭素結合以外の他の結合を有しない化合物）をカバーするように意図される。
【００１２】
したがって、本発明は、一態様においては、少なくとも１種類のヨードカーボン化合物、好ましくはＣ１〜Ｃ５ヨードカーボン、更により好ましくはＣ１ヨードカーボン、及び少なくとも１種類の安定化化合物を含む組成物に関する。幾つかの場合には、組成物に遊離基捕捉機能に基づく任意の１種類以上の安定剤を含ませることができるが、多くの好ましい態様においては、安定剤は、１種類又は複数のジエンベースの化合物、幾つかのフェノール化合物、幾つかのエポキシド類、幾つかのホスファイト類、及び幾つかのホスフェート類を、好ましくは少なくとも主要な割合で含む。
【００１３】
幾つかの好ましい態様においては、ジエンベースの化合物は１種類又は複数のイソプレンベースの化合物である。本明細書において用いる「ジエンベースの化合物」という用語は、分子構造内に２つ以上の二重結合を有する置換又は非置換の両方のＣ３〜Ｃ５化合物、及びかかるＣ３〜Ｃ５化合物が関与する１つ又は複数の反応によって形成することができる化合物（但し、かかる反応生成物化合物中に少なくとも１つの二重結合が存在する）を指す。好ましい態様においては、本発明のジエンベースの化合物は、分子構造内に２つ以上の二重結合を有する置換及び非置換のＣ３〜Ｃ２０化合物を含む。本明細書において用いる「イソプレンベースの化合物」という用語は、イソプロペン、イソプレン基を有する化合物、及びイソプレンが関与する１つ又は複数の反応によって形成することができる化合物を指す。例えば、本明細書において定められているように、ジエンベースの化合物はミルセン及びファルセノールを含み、その各々は３つの炭素−炭素二重結合を有する。このように、「ジエンベース」という用語は、２つのみの二重結合を有する化合物に限定されず、２つより少ないか又はそれより多い炭素−炭素二重結合を有する化合物を包含する。複数のＣ３〜Ｃ５ジエンの組み合わせによって形成されるジエンベースの化合物の場合には、組み合わされる分子は同一であっても又は異なっていてもよい。
【００１４】
本出願人らは、幾つかの使用条件下では、ヨードカーボン化合物は、特に潤滑剤化合物の存在下において、更により特には蒸気圧縮サイクル運転において冷媒が経験する温度条件下での潤滑剤の存在下においては、Ｃ−Ｉ結合の代わりにＣ−Ｃｌ及びＣ−Ｆ結合を有する化合物よりも安定性が概して低い傾向を有することを認識するに至った。このように、本出願人らは、冷媒、更により好ましくはＣＦＣ及びＨＣＦＣ冷媒の代替物などとして、熱伝達用途などにおける種々の用途のために充分に安定であるトリフルオロヨードメタンのようなヨードカーボン化合物を含む組成物を提供することが望ましいことを認識した。かかる組成物は、本発明の組成物に代えてＣＦＣ及びＨＣＦＣベースの組成物を用いた場合に引き起こされるであろう環境損害を減少させる可能性を与える。しかしながら、本出願人らは、ヨウ素化化合物は一般に比較的不安定である傾向を有し、通常の冷却システム内に存在する条件下のような幾つかの使用条件下では、しばしばＣＦＣ及びＨＣＦＣよりも非常に安定性が低いことを更に認識した。例えば、様々な冷媒について標準的な推奨されるＡＳＨＲＡＥ及びＳＡＥ試験を行ったところ、本発明者らは、ヨードフルオロカーボンを含む化合物が褐色／黒色のヨウ素を生成させることを見出し、これは試験条件中におけるヨードフルオロカーボンの分解から形成されたと考えられる。
【００１５】
本発明者らは、予期しなかったことに、ヨードカーボン化合物、好ましくはＣ１〜Ｃ２ヨードカーボン、より好ましくはＣ１ヨードカーボン、更により好ましくはトリフルオロヨードメタンを、少なくとも１種類の安定化化合物、好ましくは遊離基捕捉機能を有する化合物、更により好ましくは、（１）ジエンベースの化合物、好ましくは少なくとも２つの炭素−炭素二重結合及び少なくとも４個の炭素原子を有するジエンベースの化合物；（２）エポキシ化合物、例えば好ましくは、下式（Ｅ１）及び（Ｅ２）：
【００１６】
【化１】
2018109185.tif 000002
【００１７】
（式中、
Ｒ１は、少なくとも３個の炭素原子、好ましくは少なくとも４個の炭素原子を有する脂肪族基であり、より好ましくは幾つかの態様においては、Ｒ１は４〜６個の炭素原子を有する不飽和脂肪族基であり、幾つかの非常に好ましい態様においては、Ｒ１は４炭素の不飽和脂肪族基であり；
Ｒ２は、４又は５個の炭素原子を有する脂肪族基、又は多環式芳香族基、好ましくはナフチル基、及びこれらの組み合わせである）
にしたがう置換又は非置換化合物から選択されるエポキシ化合物；
（３）下式Ｐ１：
【００１８】
【化２】
2018109185.tif 000003
【００１９】
（式中、それぞれのＲは、独立して、フェニル基、又は少なくとも６個であるが１５個未満の炭素原子を有するカルボキシレート基である）
にしたがうホスファイト；
（４）非ヒンダード又は弱ヒンダードフェノール類（この用語は下記に定義する）；及びこれらの任意の２以上の組み合わせ；
からなる群から選択される少なくとも１種類の化合物と混合することができることを見出した。
【００２０】
本明細書において用いる弱ヒンダードフェノールという用語は、フェノール環上の２及び６位に脂肪族置換基が存在し、これらの位置における置換基の炭素原子の合計数が４より多いが８未満である置換フェノールを意味する。好ましい態様においては、２及び６位における置換基の炭素原子の合計数は、５又は６、更により好ましくは５である。本明細書において用いる非ヒンダードフェノールという用語は、フェノール環上の２又は６位のいずれかの上に存在する任意の置換基の組み合わせにおいて合計で２以下の合計数の炭素原子が存在するフェノールを意味する。
【００２１】
幾つかの非常に好ましい態様においては、本発明の種々の形態にしたがって用いられる安定化化合物は、（１）ジエンベースの化合物、好ましくは少なくとも２つの炭素−炭素二重結合及び少なくとも４個の炭素原子を有するジエンベースの化合物；（２）エポキシ化合物、例えば好ましくは、下式（Ｅ１）及び（Ｅ２）：
【００２２】
【化３】
2018109185.tif 000004
【００２３】
（式中、
Ｒ１は、少なくとも３個の炭素原子、好ましくは少なくとも４個の炭素原子を有する脂肪族基であり、より好ましくは幾つかの態様においては、Ｒ１は４〜６個の炭素原子を有する不飽和脂肪族基であり、幾つかの非常に好ましい態様においては、Ｒ１は４炭素の不飽和脂肪族基であり；
Ｒ２は、４又は５個の炭素原子を有する脂肪族基、又は多環式芳香族基、好ましくはナフチル基、及びこれらの組み合わせである）
にしたがう置換又は非置換化合物から選択されるエポキシ化合物；
（３）下式Ｐ１：
【００２４】
【化４】
2018109185.tif 000005
【００２５】
（式中、それぞれのＲは、独立して、フェニル基、又は少なくとも６個であるが１５個未満の炭素原子を有するカルボキシレート基である）
にしたがうホスファイト；及び、これらの任意の２以上の組み合わせ；
からなる群から選択される少なくとも１種類の化合物を含み、好ましくはこれらを主要な割合で含み、より好ましくは幾つかの態様においてはこれらから実質的に構成される。
【００２６】
更に、本組成物は、様々な用途のために充分に安定であるだけでなく、不燃性及び低いオゾン層破壊特性の独特な組み合わせを示す傾向も有しており、このためにこれらは熱伝達流体として、特にＣＦＣ及びＨＣＦＣ冷媒の代替品のような、現在用いられている冷媒の代替候補として特に有用である。更に、本出願人らは、本発明による多くの有利性は、ヨードカーボンに加えて、好ましくは安定剤、特にＨＦＣ、好ましくはＣ１〜Ｃ４のＨＦＣ、及びハロゲン化オレフィン、好ましくはＣ２〜Ｃ５ハロゲン化オレフィンなどの１種類以上の他の化合物も含む組成物に関して達成することができることを見出した。
【００２７】
本出願人らは、本発明の好ましい組成物は安定であり、多くのシステム、装置、及び方法において用いるのに好適であることを更に認識した。例えば、本発明の１形態は、特に自動車用空調用途などの冷却用途などにおいて（潜熱伝達及び／又は顕熱伝達に基づく）加熱又は冷却流体として含まれる、本発明の組成物を含むシステム、装置、及び方法を提供する。下記においてより完全に説明するように、他のシステム、装置、及び方法もまた、本発明の範囲内である。
【００２８】
更に他の形態においては、本発明は、好ましくは多くの好ましい態様においては本発明
によるジエンベースの化合物を含む、本明細書において言及する１種類以上の好ましい安定化化合物を好ましくは含む安定化剤を用いることによって、少なくとも１種類のヨードカーボン化合物を含む組成物を安定化させるための方法、システム、及び装置を提供する。
【００２９】
好ましい実施態様の説明
１．組成物−概要：
好ましい組成物は、少なくとも１種類のヨードカーボン、好ましくは（トリフルオロヨードメタン（ＣＦ３Ｉ）のような）Ｃ１ヨードフルオロカーボン、及び好ましくは更に少なくとも１種類の安定剤、好ましくはジエンベースの化合物などの本明細書において言及する１種類以上の好ましい安定化化合物を、使用条件下でヨードカーボンを分解に対して安定化させるために有効な量で含む。
【００３０】
本発明の幾つかの好ましい組成物は、ヨードカーボン、並びに少なくとも１種類の飽和ＨＦＣ及び／又は少なくとも１種類のハロアルケン、好ましくは１種類以上のＣ１〜Ｃ４のＨＦＣ、及び／又は１種類以上のＣ２〜Ｃ５ハロアルケンを含む。
【００３１】
ハロアルケン類が存在する場合には、ハロアルケンは、好ましくは、Ｃ２〜Ｃ４ハロアルケン、更により好ましくは少なくとも２個、好ましくは少なくとも３個のフッ素置換基を有するＣ２〜Ｃ４ハロアルケンを含む。かかるハロアルケンの中で、特に自動車用空調のような熱伝達用途に関連して使用するために非常に好ましいのは、テトラフルオロプロペン類、特に２，３，３，３−テトラフルオロプロペン（ＨＦＯ−１２３４ｙｆ）である。幾つかのかかる好ましい態様においては、組成物は、ヨードカーボン及びハロアルケンの合計重量を基準として、約５重量％〜約５０重量％のヨードカーボン、より好ましくは約２０重量％〜約４０重量％のヨードカーボン、更により好ましくは約２５％〜約３５％のヨードカーボン、並びに、約５０重量％〜約９５重量％のＨＦＣ、特にＣ１〜Ｃ４のＨＦＣ、及び／又はハロゲン化オレフィン、好ましくはＣ２〜Ｃ５ハロゲン化オレフィン、更により好ましくはＣ２〜Ｃ４ハロアルケン、より好ましくは約６０重量％〜約８０重量％のＨＦＣ、好ましくはＣ１〜Ｃ４のＨＦＣ、及び／又はハロゲン化オレフィン、好ましくはＣ２〜Ｃ５ハロゲン化オレフィン、更により好ましくはＣ２〜Ｃ４ハロアルケン、更により好ましくは約６５％〜約７５％のＨＦＣ、好ましくはＣ１〜Ｃ４のＨＦＣ、及び／又はハロゲン化オレフィン、好ましくはＣ２〜Ｃ５ハロゲン化オレフィン、更により好ましくはハロアルケンを含む。
【００３２】
本発明の幾つかの好ましい組成物は、ヨードカーボン、及び少なくとも１種類のＣ１〜Ｃ４のＨＦＣ、好ましくはＣ１〜Ｃ３のＨＦＣ、更により好ましくはＣ１〜Ｃ２のＨＦＣを含む。幾つかのかかる好ましい態様においては、組成物は、ヨードカーボン及びＨＦＣの合計重量を基準として、約５０重量％〜約９５重量％のヨードカーボン、より好ましくは約６５％〜約８５％のヨードカーボン、及び約５重量％〜約５０重量％のＨＦＣ、更により好ましくは約１５％〜約３５％のＨＦＣを含む。
【００３３】
好ましい態様においては、本組成物は、約１０００以下、より好ましくは約５００以下、更により好ましくは約１５０以下、幾つかの場合には約１００以下の地球温暖化係数（ＧＷＰ）を有する。幾つかの態様においては、本組成物のＧＷＰは約７５以下である。本明細書中において用いる「ＧＷＰ」とは、"The Scientific Assessment of Ozone Depletion, 2002, a report of the World Meteorological Association's Global Ozone Research and Monitoring Project"（参照として本明細書中に包含する）において規定されて
いる、二酸化炭素のそれに対して相対的に１００年間の対象期間にわたって測定されるものである。
【００３４】
好ましくは、本組成物はまた、約０．０５以下、より好ましくは約０．０２以下、更により好ましくはほぼ０のオゾン層破壊係数（ＯＤＰ）も有する。本明細書中において用いる「ＯＤＰ」とは、"The Scientific Assessment of Ozone Depletion, 2002, A report of the World Meteorological Association's Global Ozone Research and Monitoring Project"（参照として本明細書中に包含する）に規定されている通りである。
【００３５】
Ａ．ヨードカーボン：
本明細書に含まれる教示を考慮すると、本発明によるヨードカーボン化合物は１種類以上の広範囲のかかる化合物を含んでいてよいと意図される。例えば、幾つかの好ましい態様においては、ヨードカーボン化合物は、Ｃ１〜Ｃ６ヨードカーボン、更により好ましくはＣ１〜Ｃ３ヨードフルオロカーボンであると意図される。ヨードカーボンは、炭素、水素、フッ素、及びヨウ素を含んでいてよい。
【００３６】
本発明の幾つかの好ましい組成物において、ヨードカーボンは、Ｃ１〜Ｃ３ヨードカーボン、より好ましくはＣ１ヨードカーボン、更により好ましくはＣ１ヨードフルオロカーボンを含む。幾つかの非常に好ましい態様においては、少なくとも１種類のヨードカーボン化合物は、トリフルオロヨードメタン（ＣＦ３Ｉ）を含み、好ましくはこれを全ヨードカーボン化合物を基準として主要な割合で含む。このように、幾つかの非常に好ましい態様においては、本組成物は、炭素−フッ素結合及び炭素−ヨウ素結合のみを含む少なくとも１種類のＣ１化合物を含み、少なくとも２つの炭素−フッ素結合及び少なくとも１つの炭素−ヨウ素結合を含むＣ１化合物が更により好ましい。
【００３７】
トリフルオロヨードメタンは、Matheson TriGas, Inc.などの様々な商業的供給源から
容易に入手できる。更に、任意の種々の通常的な方法によって製造されるトリフルオロヨードメタンを用いることができる。トリフルオロヨードメタンを製造する１つのかかる通常の方法の例は、JACS 72,3806(1950), "The Degradation of Silver Trifluoroacetate to Trifluoroiodomethane", Albert L. Henne及びWilliam G. Finnegan（参照として本明細書中に包含する）において開示されている。
【００３８】
一般に、ヨードカーボン化合物は、例えばこの化合物の特定の意図される使用条件などの多数のファクターに応じて広範囲の量で組成物中に存在させることができる。幾つかの好ましい態様においては、１種類又は複数のヨードカーボン化合物は、重量基準で約５％乃至約１００％未満、より好ましくは約２０％乃至約１００％未満の量で本組成物中に存在する。幾つかの好ましい態様、特に組成物が１種類又は複数のＨＦＣを含む態様においては、１種類又は複数のヨードカーボン化合物は、重量基準で約５％〜約３５％、より好ましくは約４５％〜約９５％、更により好ましくは６５％〜約９５％の量で本組成物中に存在する。幾つかの好ましい態様、特に組成物が１種類又は複数のハロゲン化アルケンを含む態様においては、１種類又は複数のヨードカーボン化合物は、重量基準で約１５％〜約５０％、より好ましく約２０％〜約４０％、更により好ましくは約２５％〜約３５％の量で本組成物中に存在する。
【００３９】
１種類又は複数のヨードカーボン化合物及び安定化剤の相対重量に関しては、幾つかの態様において、ヨードカーボンは、組成物中のヨードカーボン及び安定化剤、好ましくはジエンベースの化合物の合計重量を基準として、約９０重量％〜約９９．９９９重量％、より好ましくは約９５重量％〜約９９．９９重量％、更により好ましくは約９６重量％〜約９９．７重量％の量で存在する。
【００４０】
Ｂ．１種類又は複数の安定剤：
幾つかの好ましい態様においては、安定剤化合物は、組成物、好ましくはヨードカーボンを含む組成物、より好ましくはヨードカーボンを含む冷媒組成物の全重量を基準として
約０．００１重量％〜約１５重量％、より好ましくは約０．０１重量％〜約１０重量％、更により好ましくは約０．３重量％〜約５重量％、更により好ましくは約１〜約２重量％の量で組成物中に存在する。幾つかの場合においては、安定剤化合物は、潤滑剤及び安定剤の合計重量を基準として約０．００１重量％〜約１５重量％、より好ましくは約０．０１重量％〜約１０重量％、更により好ましくは約０．３重量％〜約５重量％、更により好ましくは約１〜約２重量％の量で組成物中に存在する。幾つかの好ましい態様においては、安定剤化合物は、組成物、好ましくはヨードカーボンを含む化合物の全重量を基準として約０．５重量％〜約２重量％の量で存在する。
【００４１】
１．１種類又は複数のジエンベースの化合物：
任意の１種類以上の入手可能なジエンベースの化合物を本発明にしたがって使用するように適合させることができ、当業者は、本明細書に含まれる教示を考慮すれば過度の実験を行うことなく任意の特定の用途のために適当なかかる１種類又は複数の化合物の数及びタイプを選択することができるであろうと考えられる。用いる１種類又は複数のジエンベースの化合物のタイプ及び性質は、少なくともある程度までは、組成物中で使用される１種類又は複数の特定のヨードカーボン化合物、組成物の予測される使用条件、及び関連するファクターによって定まる可能性がある。
【００４２】
一般に、本発明の組成物中で用いられるジエンベースの安定剤の量は、様々なファクターの中でも、組成物中のヨードカーボンのタイプ、組成物の予測される使用条件のようなファクターに応じて広く変化させることができると考えられる。一般に、用いるヨードカーボンに対して有効な量のジエンベースの安定剤を用いることが好ましい。本明細書中において用いる「有効量」という用語は、トリフルオロヨードメタンのような関連するヨードカーボン化合物を含む組成物に加えた場合に、ジエンベースの化合物を含まない同じ組成物と比較して同一又は類似の条件下でヨードカーボンがよりゆっくりと及び／又はより少ない程度分解する安定化された組成物を与える１種類又は複数のジエンベースの化合物の量を指す。トリフルオロヨードメタンの特定の例においては、１つの重要な分解生成物はトリフルオロメタンであり、これはＣＦ３Ｉ分子中のヨウ素が水素で置換されることによって形成される。同様に、他のヨードカーボンにおいてヨウ素が水素で置き換えられて、それによって比較的高いＧＷＰ値、例えば１５０より大きい値を有する可能性がある化合物が形成する可能性がある。これらの分解生成物は、ヨードカーボンを用いる冷媒ブレンドのＧＷＰを上昇させる効果を有する。したがって、低い地球温暖化係数を与えると言う目標を達成できない。好ましくは、有効量の安定剤は、ヨードカーボンの分解量を減少させて、冷媒組成物のＧＷＰが１０００より低く、更により好ましくは１５０未満になるようにする。ＧＷＰ値を考慮しなくても、冷媒組成物の成分が分解されることは望ましくない。したがって、上記記載の分解生成物のレベルは、全冷媒組成物の２．０重量％未満、より好ましくは約１．０重量％未満、更により好ましくは約０．５重量％未満であることが好ましい。幾つかの好ましい態様においては、この量の１種類又は複数のジエンベースの化合物は、ＳＡＥ−Ｊ１６６２（１９９３年６月発行）及び／又はＡＳＨＲＡＥ−９７−１９８３Ｒ（１９９７年発行）の標準規格試験に従って試験した場合に、その中の少なくとも１種類のヨードカーボン化合物が、ジエンベースの化合物を含まない同じ組成物と比較して、よりゆっくり及び／又はより少ない程度でしか分解しない安定化された組成物を与えるのに十分なものである。例えば幾つかの好ましい態様においては、分解生成物、即ちヨードカーボン中のヨウ素が水素で置換されることによって形成される生成物の量は、組成物を約３００°Ｆにおいて約２週間保持した後に約０．９重量％未満、更により好ましくは約０．７重量％未満である。
【００４３】
本発明のジエンベースの化合物は環式又は非環式化合物であってよく、多くの態様においては非環式化合物が一般的に好ましい。本発明において用いるための非環式のジエンベースの化合物は、好ましくは、Ｃ５〜Ｃ３０ジエンベースの化合物、より好ましくはＣ５
〜Ｃ２０ジエンベースの化合物、更により好ましくはＣ５〜Ｃ１５ジエンベースの化合物である。環式ジエンベースの化合物に関しては、この化合物は芳香族又は非芳香族化合物であってよく、幾つかの態様においては非芳香族ジエンベースの環式化合物が好ましい。
【００４４】
好ましい態様においては、ジエンベースの化合物は、アリルエーテル類、プロパジエン、ブタジエン、（ミルセン、ファルネセン、及びリモネンのような）テルペン類、並びに（ファルネソール及びゲラニオールのような）テルペン誘導体などの）イソプロペンベースの化合物、並びにこれらの任意の２以上の組み合わせからなる群から選択される。本明細書において用いられるように、直前に述べたリストの中で規定されている化合物のそれぞれは、規定された化合物の置換形態及び非置換形態の両方を包含すると意図される。幾つかの好ましい態様においては、ジエンベースの化合物はプロパジエンを主要な割合で含み、更により好ましくはこれから実質的に構成される。
【００４５】
幾つかの他の好ましい態様においては、ジエンベースの化合物は、テルペン類、テルペン誘導体、又はこれらの組み合わせを主要な割合で含み、更により好ましくはこれらから実施的に構成される。本明細書において用いる「テルペン」という用語は、少なくとも１０個の炭素原子を含み、少なくとも１つ、好ましくは少なくとも２つのイソプレン基を含む化合物を意味する。多くの好ましい態様においては、本発明のテルペン化合物は、少なくとも２つのイソプレンＣ５単位（ＣＨ２＝Ｃ（ＣＨ３）−ＣＨ＝ＣＨ２）（それぞれの単位は置換又は非置換である）の反応から形成され、したがって、本発明のテルペン化合物の多くは、好ましくは、少なくとも１０個の炭素原子を有し、少なくとも１つのイソプレン基を含む。本明細書において用いられる「イソプレン基」という用語は、置換又は非置換のイソプレンから形成することができる基を含む分子の任意の部分を指す。幾つかの好ましい態様においては、非置換テルペン類が好ましい。
【００４６】
多くの好ましい態様においては、本発明のテルペン化合物は、変性又は非変性イソプレン分子の少なくとも１つの頭尾縮合生成物を含む。任意の１種類以上のテルペン化合物を本発明にしたがって使用するように適合させることができ、当業者は、本明細書に含まれる教示を考慮すれば過度の実験を行うことなく任意の特定の用途に関して１種類又は複数のテルペン化合物の数及びタイプを選択することができるであろうと考えられる。本発明の好ましいテルペン類は、環式又は非環式で飽和又は不飽和で置換又は非置換の構造の分子式（Ｃ５Ｈ８）ｎを有する炭化水素であり、ここでｎは好ましくは２〜約６、更により好ましくは２〜４である。式：Ｃ１０Ｈ１６を有する本発明によるテルペン類（置換形態を含む）は、本明細書においては時にはモノテルペン類と呼び、一方、式：Ｃ１５Ｈ２４（置換形態を含む）を有するテルペン類は、本明細書においては時にはセスキテルペン類と呼ぶ。式：Ｃ２０Ｈ３２を有する本発明のテルペン類（置換形態を含む）は、本明細書においては時にはジテルペン類と呼び、一方、式：Ｃ３０Ｈ２４を有するテルペン類（置換型を含む）は時にはトリテルペン類と呼び、その他もろもろである。３０個以上の炭素を含むテルペン類は、通常は２つのテルペン前駆体を規則的なパターンで縮合することによって形成される。全てのかかるテルペン類は本発明にしたがって使用するように適合させることができると意図されるが、モノテルペン類を用いることが一般的に好ましい。
【００４７】
幾つかの好ましい態様においては、本組成物の１種類又は複数のテルペン化合物は、１種類以上の非環式テルペン化合物を、好ましくは主要な割合で含み、更により好ましくはこれから実質的に構成される。非環式テルペンの中で、かかる化合物は、頭尾結合イソプレノイドとして同定される種類の化合物、又はこのようには結合していない種類の化合物の範囲内であってよいと考えられる。本発明の幾つかの形態にしたがって用いるのに好ましい非環式テルペン類としては、ミルセン（２−メチル−６−メチレンオクタ−１，７−ジエン）、アロ−シメン、β−オシメンが含まれる。
【００４８】
幾つかの態様においては、本発明のテルペン化合物は、環式テルペン化合物を含んでいてよい。環式テルペン類の中で、種々の不飽和度を有する単環、二環、三環、又は四環式化合物が、本発明にしたがって用いるように意図される。
【００４９】
本発明の様々の形態に関して用いるように適合させることができるテルペン化合物の例としては、テレベン、ミルセン、リモネン、レチナール、ピネン、メントール、ゲラニオール、ファルネソール、フィトール、ビタミンＡ１、テルピネン、δ−３カレン、テルピノレン、フェランドレン、フェンチェンなど、及びこれらのブレンド（全てのこれらの異性体を含む）が挙げられる。
【００５０】
幾つかの好ましい態様においては、本組成物のテルペン化合物は、１種類以上のセスキテルペン類、好ましくはファルネソール及び／又はファルネセンを含む。「ファルネソール」という用語は、３，７，１１−トリメチル−２，６，１０−ドデカトリエン−１−オール（全てのその立体異性体を含む）の化合物である。ファルネソールは、無色の液体として見られるセスキテルペンアルコールであり、水中に不溶であるが、油と混和性の天然の有機化合物である。これは、化学構造：
【００５１】
【化５】
2018109185.tif 000006
【００５２】
を有する。「ファルネセン」という用語は、α−ファルネセン（即ち、３，７，１１−トリメチルドセカドデカ−１，３，６，１９−テトラエン）及びβ−ファルネセン（即ち、７，１１−ジメチル−３−メチレン−１，６，１０−ドデカトリエン）（これらの全ての立体異性体を含む）を包含する。
【００５３】
本発明によるテルペン誘導体の例としては、ヒドロキシル基又はカルボニル基を含むアルコール、アルデヒド、又はケトンのようなテルペン類の酸素含有誘導体、並びに水素化誘導体が挙げられる。テルペン類の酸素含有誘導体は、本明細書においては時にはテルペノイドと呼ぶ。幾つかの態様においては、本発明のジエンベースの化合物は、テルペノイドカルノシン酸を含む。カルノシン酸は、実験式Ｃ２０２８Ｏ４に対応するフェノール系ジテルペンである。これは、Libiatae科の植物において自然に産生される。例えば、カルノシン酸は、Salvia officinalis種（セージ）及びRosmarinus officinalis種（ローズマリー）の構成成分であり、主として葉において見られる。カルノシン酸はまた、タイム及びマジョランにおいても見られ（Salvia officinalisについてはLinde（Helb. Chim. Acta, 1234 (1962)）、Rosmarinus officinalisについては、Wenkertら（J. Org. Chem.,30,
2931 (1965)）を参照）、及び種々の他のセージ種においても見られる（Salvia canariensisについては、Savona及びBruno, J. Nat. Prod., 46, 594, 1983、Salvia willeanaについてはde la Torreら, Phytochemistry, 29, 668, 1990を参照）。また、Salvia triloba及びSalvia sclarea中にも存在する。他の可能性のあるテルペノイドを下記に示す。
【００５４】
【化６】
2018109185.tif 000007
【００５５】
幾つかの好ましい態様によれば、本組成物は、少なくとも１種類のジエンベースの化合物（例えば、イソプレン、プロパジエン、及びミルセン）、並びに芳香族エポキシド及びフッ素化アルキルエポキシドのようなエポキシド類、ＤＬ−α−トコフェロール及び２−ｔｅｒｔ−ブチル−４，６−ジメチルフェノールのようなヒンダードフェノール類、ジフェニルホスフェート（例えばDoverphos 213）、並びに単独及びDoverphos 9EIIのような
混合物のトリフェニルホスファイトのようなホスファイト類、Doverphos 613のような亜
リン酸のエステル、並びに上記で言及した材料の混合物から選択される１種類の更なる安定化化合物の組合せを含む。
【００５６】
任意の好適な相対量の少なくとも１種類のジエンベースの化合物及び追加の随意的な１種類又は複数の安定剤化合物を用いることができる。例えば幾つかの好ましい態様においては、１種類又は複数のジエンベースの化合物と１種類又は複数の他の安定剤化合物との重量比は約１：９９〜約１００：０の範囲である。より好ましい態様においては、１種類又は複数のジエンベースの化合物と随意的な安定剤との重量比は、約１０：１〜約１：１、より好ましくは約２：１〜約１：１、更により好ましくは約１：１である。
【００５７】
２．フェノール類：
任意の種々のフェノール化合物が本組成物中において安定剤として用いるのに好適であると意図される。本出願人らはいかなる動作理論にも縛られることは望まないが、本フェノール類は本組成物中でラジカル捕捉剤として作用し、それによってかかる組成物の安定性を増加させる傾向を有すると考えられる。本明細書において用いる「フェノール化合物」という用語は、一般に、任意の置換又は非置換のフェノールを指す。好適なフェノール化合物の例としては、４，４’−メチレンビス（２，６−ジ−ｔｅｒｔ−ブチルフェノール）；４，４’−ビス（２，６−ジ−ｔｅｒｔ−ブチルフェノール）；２，２−又は４，４−ビフェニルジオール類、例えば４，４’−ビス（２−メチル−６−ｔｅｒｔ−ブチルフェノール；２，２−又は４，４−ビフェニルジオール類の誘導体；２，２’−メチレンビス（４−エチル−６−ｔｅｒｔ−ブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）：４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレ
ンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール；２，４−ジメチル−６−ｔｅｒｔ−ブチルフェノール；２，６−ジ−ｔｅｒｔ−α−ジメチルアミノ−ｐ−クレゾール；２，６−ジ−ｔｅｒｔ−ブチル−４（Ｎ，Ｎ’−ジメチルアミノメチルフェノール）：４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；及びビス（３−５−ジ−ｔｅｒｔ−ブチル−４−ヒドロキシベンジル）スルフィド；などが挙げられる。他の好適なフェノール類としては、トコフェロール、ヒドロキノン；ｔ−ブチルヒドロキノン；及びヒドロキノンの他の誘導体などが挙げられる。幾つかの好ましいフェノールとしては、トコフェロール、ＢＨＴ、ヒドロキノンなどが挙げられる。幾つかの特に好ましいフェノール類としてはトコフェロールなどが挙げられる。殆どのフェノール類は、CibaからのIrganox化合物のように商業的に入手できる。単一のフェノール化合物及び／又は
２種類以上のフェノール類の混合物を本組成物中で用いることができる。
【００５８】
３．エポキシド類：
また、任意の種々のエポキシド類が本発明の組成物において用いるのに好適であることも意図される。エポキシド類の中で、芳香族エポキシド類及びフッ素化アルキルエポキシド類が幾つかの態様において好ましい更なる安定剤である。本出願人らはいかなる動作理論にも縛られることは望まないが、本発明のエポキシド類は、ＣＦ３Ｉ組成物中で酸捕捉剤として作用し、それによってかかる組成物の安定性を増加させる傾向を有すると考えられる。好適な芳香族エポキシド類の例としては、下式Ｉ：
【００５９】
【化７】
2018109185.tif 000008
【００６０】
（式中、Ｒは、水素、アルキル、フルオロアルキル、アリール、フルオロアリール、又は
【００６１】
【化８】
2018109185.tif 000009
【００６２】
であり；
Ａｒは置換又は非置換のフェニレン又はナフチレン基である）
によって規定されるものが挙げられる。式Ｉの幾つかの好ましい芳香族エポキシド類としては、ブチルフェニルグリシジルエーテル；ペンチルフェニルグリシジルエーテル；ヘキシルフェニルグリシジルエーテル；ヘプチルフェニルグリシジルエーテル；オクチルフェニルグリシジルエーテル；ノニルフェニルグリシジルエーテル；デシルフェニルグリシジルエーテル；グリシジルメチルフェニルエーテル；１，４−ジグリシジルフェニルジエーテル及びその誘導体；１，４−ジグリシジルナフチルジエーテル及びその誘導体；並びに２，２’［［［５−ヘプタデカフルオロオクチル］−１，３−フェニレン］ビス［［２，２，２−トリフルオロメチル］エチリデン］オキシメチレン］ビスオキシランなどが挙げられる。他の好ましい芳香族エポキシド類としては、ナフチルグリシジルエーテル、４−メトキシフェニルグリシジルエーテル、及びナフチルグリシジルエーテルの誘導体などが挙げられる。幾つかのより好ましい芳香族エポキシド類としては、ブチルフェニルグリシ
ジルエーテルなどが挙げられる。単一の芳香族エポキシド及び／又は２以上の芳香族エポキシドの混合物を本組成物において用いることができる。
【００６３】
任意の種々のアルキル及び／又はアルケニルエポキシド類が本組成物において用いるのに好適である。好適なアルキル及びアルケニルエポキシド類の例としては式ＩＩ：
【００６４】
【化９】
2018109185.tif 000010
【００６５】
（式中、Ｒａｌｋは置換又は非置換のアルキル又はアルケニル基である）
のものが挙げられる。好ましくは、Ｒａｌｋは、約１〜約１０個の炭素原子、より好ましくは約１〜約６個の炭素原子を有する置換又は非置換のアルキル又はアルケニル基である。式ＩＩの幾つかの好ましいアルキルエポキシド類としては、ｎ−ブチルグリシジルエーテル、イソブチルグリシジルエーテル、ヘキサンジオールジグリシジルエーテルなど、並びにフッ素化及びペルフッ素化アルキルエポキシド類が挙げられる。より好ましいアルキルエポキシド類としては、ヘキサンジオールグリシジルエーテル、及び１，２−エポキシヘキサンが挙げられる。式ＩＩの幾つかの好ましいアルケニルエポキシド類としては、アリルグリシジルエーテル、フッ素化及びペルフッ素化アルケニルエポキシド類などが挙げられる。より好ましいアルケニルエポキシド類としてはアリルグリシジルエーテルなどが挙げられる。
【００６６】
Ｄ．他の成分：
本組成物には、場合によって、特定の意図される用途並びに用いる特定のヨードカーボン及び安定化化合物に応じて他の成分を含ませることができる。
【００６７】
１．共冷媒、共発泡剤等：
幾つかの態様によれば、下記においてより完全に説明するように、本発明の組成物には、ヨードカーボン及び存在させる場合には安定剤に加えて、組成物の所期の用途に応じて１種類以上の成分を更に含ませることができる。例えば、本組成物は、一般に下記の用途に関して用いるように適合させることができ、これらの用途及び他の用途：熱伝達（冷却、冷凍機用途、密閉型ランキンサイクル運転（ＣＲＣ）を含む）；有機ランキンサイクル運転（ＯＲＣ）；フォーム及び／又はフォーム形成操作（プレミックス及び／又は発泡剤及び／又はフォーム（（ポリウレタン、ポリイソシアヌレート、及びフェノール樹脂のような）熱硬化性フォーム、（ポリスチレン及びポリオレフィンのような）熱可塑性フォーム、インテグラルスキンフォーム、１成分又は２成分の加圧フロスフォームなどを含む）としてか又はその一部などとして）；溶媒（溶媒洗浄及び抽出を含む）；エアゾール；オリゴマー及び／又はポリマーの製造（例えば重合反応のためのモノマーとして）；噴射剤；消火補助剤；界面活性剤；フラッシング用途；定量吸入器（ＭＤＩ）；潤滑剤、火炎抑制剤；治療組成物；殺虫剤組成物；除草剤組成物；溶媒用途（洗浄、抽出、及び沈殿用途を含む）など；に関して種々の共成分を本組成物と共に用いることができる。
【００６８】
多くの共成分を本組成物において有利に用いることができると意図されるが、いくつかの態様においては、本組成物は共成分として以下の成分；
ＣＯ２；
炭化水素（置換及び非置換の特にＣ２〜Ｃ６の炭化水素）；
アルコール（置換及び非置換の特にＣ２〜Ｃ６のアルコール）
ケトン（置換及び非置換の特にＣ２〜Ｃ５のケトン）；
アルデヒド（置換及び非置換の特にＣ２〜Ｃ５のアルデヒド）；
エーテル／ジエーテル（置換及び非置換の特にＣ２〜Ｃ５のエーテル）；
フルオロエーテル（置換及び非置換の特にＣ２〜Ｃ５のフルオロエーテル）；
フルオロアルケン（置換及び非置換の特にＣ２〜Ｃ６フルオロアルケン）；
ＣＦＣ（特にＣ２〜Ｃ５のＣＦＣ）；
ＨＦＣ（特にＣ２〜Ｃ５のＨＦＣ）；
ＨＣＣ（特にＣ２〜Ｃ５のＨＣＣ）；
ＨＣＦＣ（特にＣ２〜Ｃ５のＨＣＦＣ）；
ハロアルケン、例えば好ましくはフルオロアルケン（置換及び非置換の特にＣ２〜Ｃ６のフルオロアルケン）；
ＨＦＯ（特にＣ２〜Ｃ５のＨＦＯ）；
ＨＣｌＦＯ（特にＣ２〜Ｃ５のＨＣｌＦＯ）；
ＨＢｒＦＯ（特にＣ２〜Ｃ５のＨＢｒＦＯ）；
カーボネート／ジカーボネート；
カルボン酸及びその誘導体（例えばギ酸メチルのようなカルボン酸エステル）；及び
水：
の１以上を有することが好ましい。
【００６９】
本明細書において用いる「ＨＦＯ」という用語は、炭素、フッ素、及び水素の原子から構成され、他の原子を含まず、少なくとも１つの炭素−炭素二重結合が存在する化合物を意味する。
【００７０】
本明細書において用いる「ＨＣｌＦＯ」という用語は、炭素、塩素、フッ素、及び水素の原子から構成され、他の原子を含まず、少なくとも１つの炭素−炭素二重結合が存在する化合物を意味する。
【００７１】
本明細書において用いる「ＨＢｒＦＯ」という用語は、炭素、臭素、フッ素、及び水素の原子から構成され、他の原子を含まず、少なくとも１つの炭素−炭素二重結合が存在する化合物を意味する。
【００７２】
本明細書及び特許請求の範囲の全体で用いる記号Ｃ１〜Ｃ５等の使用は、少なくとも１個の炭素原子乃至約５個以下の炭素原子を有する化合物等を指す。
広範なＨＦＣを本組成物及び方法において用いることができると意図されるが、幾つかの好ましい態様においては、以下の成分（それぞれの全ての異性体を包含する）：
ジフルオロメタン（ＨＦＣ−３２）；
ペンタフルオロエタン（ＨＦＣ−１２５）；
１，１，２，２−テトラフルオロエタン（ＨＦＣ−１３４）；
１，１，１，２−テトラフルオロエタン（ＨＦＣ−１３４ａ）：
トリフルオロエタン（ＨＦＣ−１４３ａ）；
ジフルオロエタン（ＨＦＣ−１５２ａ）；
１，１，１，２，３，３，３−ヘプタフルオロプロパン（ＨＦＣ−２２７ｅａ）：
１，１，１，３，３，３−ヘキサフルオロプロパン（ＨＦＣ−２３６ｆａ）
１，１，１，３，３−ペンタフルオロプロパン（ＨＦＣ−２４５ｆａ）；及び
１，１，１，３，３−ペンタフルオロブタン（ＨＦＣ−３６５ｍｆｃ）；
の１以上を組成物中において用いることが好ましい。
【００７３】
広範なＨＣＦＣを本組成物及び方法において用いることができると意図されるが、幾つかの好ましい態様においては、ジクロロトリフルオロエタン類（例えば２，２−ジクロロ−１，１，１−トリフルオロエタン（ＨＣＦＣ−１２３））；及びクロロテトラフルオロエタン（ＨＣＦＣ−１２４）；（それぞれの全ての異性体を含む）を、別々か又は任意の
組み合わせで用いることが好ましい。
【００７４】
広範なＨＣＣを本組成物及び方法において用いることができると意図されるが、幾つかの好ましい態様においては、ジクロロエタン類（例えば、トランス−１，２−ジクロロエタンなどの１，２−ジクロロエタン）；塩化エチル；及び２−クロロプロパン；を、別々か又は任意の組み合わせで用いることが好ましい。
【００７５】
広範なＣＦＣを本組成物及び方法において用いることができると意図されるが、好ましい態様においては、トリクロロトリフルオロエタン類（例えば１，１，２−トリクロロトリフルオロエタン（ＣＦＣ−１１３））を、特にオリゴマー及び／ポリマーを製造するためのモノマーとして使用するために用いることが好ましい。
【００７６】
広範なフルオロアルケン類を本組成物及び方法において用いることができると意図されるが、多くの態様においては、本組成物は、１種類以上のＣ３又はＣ４フルオロアルケン類、好ましくは次式Ｉ：
ＸＣＦｚＲ３−ｚ    （Ｉ）
（式中、ＸはＣ２又はＣ３の不飽和で置換又は非置換のアルキル基であり、それぞれのＲは、独立して、Ｃｌ、Ｆ、Ｂｒ、Ｉ、又はＨであり、ｚは１〜３である）
を有する化合物を含むことが特に好ましい。式Ｉの化合物の中で、以下の化合物：
フルオロエテン類；
フルオロプロペン類；
フルオロブテン類；
クロロフルオロエテン類；
クロロフルオロプロペン類；及び
クロロフルオロブテン類；
が非常に好ましい。
【００７７】
フルオロエテン類の中では、Ｃ２Ｈ３Ｆ（モノフルオロエチレン又はフッ化ビニル又はＶＦ）；Ｃ２Ｈ２Ｆ２（例えば１，１−ジフルオロエチレン（フッ化ビニリデン又はＶＤＦ））；Ｃ２ＨＦ３（トリフルオロエチレン又はＴＨＦＥ）；及びＣ２Ｆ４（テトラフルオロエチレン又はＴＦＥ）；が、本発明の幾つかの態様において用いるのに好ましい。
【００７８】
フルオロプロペン類の中では、Ｃ３Ｈ３Ｆ３（３，３，３−トリフルオロプロペン（ＨＦＯ−１２４３ｚｆ）のような全ての異性体を含む）；Ｃ３Ｈ２Ｆ４（例えば１，３，３，３−テトラフルオロプロペン（ＨＦＯ−１２３４ｚｅ）及び２，３，３，３−テトラフルオロプロペン（ＨＦＯ−１２３４ｙｆ）のシス及びトランス異性体）；並びにＣ３ＨＦ５（例えばＨＦＯ−１２２５の異性体）；が、本発明の幾つかの態様において用いるのに好ましい。
【００７９】
「ＨＦＯ−１２３４」という用語は、本明細書においては、全てのテトラフルオロプロペン類を指すように用いる。テトラフルオロプロペン類には、ＨＦＯ−１２３４ｙｆ、及びその全ての立体又は幾何異性体が含まれる。「ＨＦＯ−１２３４ｙｆ」及び「ＨＦＯ−１２３４ｚｅ」という用語は、本明細書においては、その立体異性とは関係なくそれぞれ１，１，１，２−テトラフルオロプロペン及び１，１，１，３−テトラフルオロプロペンを総称的に指すように用いる。
【００８０】
ＨＦＯ−１２３４の化合物は公知の物質であり、Chemical Abstractsデータベースに示されている。様々な飽和及び不飽和のハロゲン含有Ｃ３化合物の接触蒸気相フッ素化によるＣＦ３ＣＨ＝ＣＨ２のようなフルオロプロペン類の製造が、米国特許２，８８９，３７９；４，７９８，８１８；及び４，４６５，７８６（それぞれを参照として本明細書中に
包含する）に記載されている。ＥＰ−９７４，５７１（これも参照として本明細書中に包含する）においては、１，１，１，３，３−ペンタフルオロプロパン（ＨＦＣ−２４５ｆａ）を、蒸気相中、昇温温度においてクロムベースの触媒と接触させるか、又は液相中においてＫＯＨ、ＮａＯＨ、Ｃａ（ＯＨ）２、又はＭｇ（ＯＨ）２のアルコール溶液と接触させることによって、１，１，１，３−テトラフルオロプロペンを製造すること開示されている。
【００８１】
フルオロブテン類の中では、Ｃ４Ｈ４Ｆ４（その全ての異性体を含む）；Ｃ４Ｈ３Ｆ５（例えばＨＦＯ−１３４５の全ての異性体）；及びＣ４Ｈ２Ｆ６（例えばＨＦＯ−１３３６の全ての異性体）；が、本発明の幾つかの態様において用いるのに好ましい。
【００８２】
クロロフルオロエテン類の中では、Ｃ２Ｆ３Ｃｌ（ＣＴＦＥ）が本発明の幾つかの態様において用いるのに好ましい。
クロロフルオロプロペン類の中では、例えばＣ３Ｈ２Ｆ４Ｃｌ（例えば、２−クロロ−３，３，３−トリフルオロ−１−プロペン（ＨＣＦＯ−１２３３ｘｆを含む）、及び１−クロロ−３，３，３−トリフルオロ−１−プロペン（ＨＣＦＯ−１２３３ｚｄの全ての異性体を含む））などのモノ又はジ塩素化化合物が、本発明の幾つかの態様において用いるのに好ましい。
【００８３】
本発明の幾つかの好ましい態様においては、組成物は、下式ＩＩ：
【００８４】
【化１０】
2018109185.tif 000011
【００８５】
（式中、それぞれのＲは、独立して、Ｃｌ、Ｆ、Ｂｒ、Ｉ、又はＨであり；
Ｒ’は（ＣＲ２）ｎＹであり；
ＹはＣＲＦ２であり；そして
ｎは０又は１である）
の少なくとも１種類のフルオロアルケン類を含む。
【００８６】
非常に好ましい態様においては、ＹはＣＦ３であり、ｎは０であり、残りのＲの少なくとも１つはＦである。
本出願人らは、一般に、上記で規定する式Ｉ及びＩＩの化合物は、本組成物中に含ませると、上記で規定する用途の全て（特に、本発明の冷媒組成物、発泡剤組成物、相溶化剤、エアゾール、噴射剤、香料、香味配合物、及び溶媒組成物など）において一般に有効であり、有用性を示すと考える。しかしながら、本出願人らは、驚くべきことに且つ予期しかなったことに、上記記載の式にしたがう構造を有する幾つかの化合物は、他のかかる化合物と比較して非常に望ましい低いレベルの毒性を示すことを見出した。容易に認められるように、この発見は、冷媒組成物の配合だけでなく、上記記載の式を満足する比較的毒性の化合物を含む全ての組成物の配合に関して非常に有利で且つ有益なものである可能性がある。より詳しくは、本出願人らは、比較的低い毒性レベルは、好ましくはＹがＣＦ３であり、不飽和末端炭素上の少なくとも１つのＲがＨであり、残りのＲの少なくとも１つがＦである式ＩＩの化合物に付随するものであると考える。本出願人らはまた、かかる化合物の全ての構造異性体、幾何異性体、及び立体異性体が有効であり、かつ有益に低い毒性のものであるとも考える。
【００８７】
非常に好ましい態様、特に上記の低毒性化合物を含む態様においては、ｎは０である。
幾つかの非常に好ましい態様においては、本発明の組成物は、１種類以上のテトラフルオロプロペン類を含む。用語「ＨＦＯ−１２３４」は、本明細書においては、全てのテトラフルオロプロペン類を指すように用いる。テトラフルオロプロペン類の中で、ＨＦＯ−１２３４ｙｆは、熱伝達組成物、方法、及びシステムに関して用いるのに非常に好ましい。
【００８８】
他の態様においては、シス−及びトランス−１，３，３，３−テトラフルオロプロペン（ＨＦＯ−１２３４ｚｅ）のいずれか又は両方を用いることが好ましい可能性がある。ＨＦＯ−１２３４ｚｅという用語は、本明細書においては、シス又はトランス形態のいずれであるかに関係なく、１，３，３，３−テトラフルオロプロペンを総称的に指すように用いる。「シス−ＨＦＯ−１２３４ｚｅ」及び「トランス−ＨＦＯ−１２３４ｚｅ」という用語は、本明細書においては、それぞれ１，３，３，３−テトラフルオロプロペンのシス形態及びトランス形態を示すように用いる。したがって、「ＨＦＯ−１２３４ｚｅ」という用語は、シス−ＨＦＯ−１２３４ｚｅ、トランス−ＨＦＯ−１２３４ｚｅ、並びにこれらの全ての組み合わせ及び混合物をその範囲内に包含する。
【００８９】
シス−ＨＦＯ−１２３４ｚｅ及びトランス−ＨＦＯ−１２３４ｚｅの特性は少なくとも幾つかの点で異なるが、これらの化合物のそれぞれは、本明細書中に記載の用途、方法、及びシステムのそれぞれに関して、単独か又はその立体異性体を含む他の化合物と一緒に使用するように適合させることができると意図される。例えば、トランス−ＨＦＯ−１２３４ｚｅは、その比較的低い沸点（−１９℃）のために、幾つかの冷却システムにおいて用いるのに好適である可能性があるが、しかしながら、＋９℃の沸点を有するシス−ＨＦＯ−１２３４ｚｅもまた、本発明の幾つかの冷却システムにおいて有用性を有すると考えられる。したがって、「ＨＦＯ−１２３４ｚｅ」及び１，３，３，３−テトラフルオロプロペンという用語は両方の立体異性体を指すと理解すべきであり、かかる用語を用いることは、他に示していない限りにおいて、シス形態及びトランス形態のそれぞれが適用され、及び／又は示されている目的のために有用であることを示すように意図される。
【００９０】
ＨＦＯ−１２３４の化合物は公知の材料であり、Chemical Abstractsデータベースに示されている。様々な飽和及び不飽和ハロゲン含有Ｃ３化合物の接触蒸気相フッ素化によるＣＦ３ＣＨ＝ＣＨ２のようなフルオロプロペン類の製造が、米国特許２，８８９，３７９；４，７９８，８１８；及び４，４６５，７８６；（それぞれを参照として本明細書中に包含する）に記載されている。ＥＰ−９７４，５７１（これも本明細書中に参照として包含する）においては、１，１，１，３，３−ペンタフルオロプロパン（ＨＦＣ−２４５ｆａ）を蒸気相中、昇温温度においてクロムベースの触媒と接触させるか、又は液相中において、ＫＯＨ、ＮａＯＨ、Ｃａ（ＯＨ）２、又はＭｇ（ＯＨ）２のアルコール溶液と接触させることによる１，１，１，３−テトラフルオロプロペンの製造が開示されている。更に、本発明による化合物を製造する方法は、非限定的な例として、係属している米国特許出願１０／６９４，２７２「フルオロプロペン類の製造方法」、及び米国仮出願６０／７３３３５５（２００５年１１月３日出願）（それぞれを参照として本明細書中に包含する）に記載されている。
【００９１】
本組成物、特にＨＦＯ−１２３４及びＨＦＯ−１２３４ｙｆを含むものは、数多くの重要な理由のために有利である幾つかの特性を有すると考えられる。例えば、本出願人らは、少なくとも部分的に数学的モデルに基づいて、本発明のフルオロオレフィン類は、環境化学に対して実質的な悪影響を有さず、幾つかの他のハロゲン化種と比較してオゾン層の破壊に対する寄与に関して無視できる物質であると考える。このように、本発明の好ましい組成物は、オゾン層破壊に実質的に寄与しないという有利性を有する。好ましい組成物はまた、現在使用されているヒドロフルオロアルカン類の多くと比較して地球温暖化に実質的に寄与しない。
【００９２】
本組成物中に含まれる式Ｉの化合物、特にＨＦＯ−１２３４の量は特定の用途に応じて広範に変えることができ、約１重量％より多く１００％未満の化合物を含む組成物は本発明の広い範囲内である。好ましい態様においては、本組成物は、ＨＦＯ−１２３４、好ましくはＨＦＯ−１２３４ｙｆを、約５重量％〜約９９重量％、更により好ましくは約５％〜約９５％の量で含む。
【００９３】
例として（しかしながら必ずしも限定の目的ではないが）、本組成物の幾つかの好ましい態様には、本発明のヨードカーボン化合物に加えて（及び存在させる場合には安定剤化合物に加えて）、本発明のフルオロアルケン化合物及び／又はＨＦＣを、下表に示す広い組成範囲、中間的な組成範囲、及びより特定の組成範囲（全ての量は「約」が前置していると理解される）（ここでパーセントは下表１に示す３つの成分の合計重量を基準とするものである）にしたがって含ませることができる。
【００９４】
【表１】
2018109185.tif 000012
【００９５】
本組成物の幾つかの好ましい態様には、本発明による熱伝達流体中に好ましくは存在する安定剤、並びにこれも好ましくは存在する任意のオイル又は潤滑剤に加えて、ＣＦ３Ｉ及び１種類以上のフルオロアルケン化合物を含ませることができる。幾つかの好ましい形態においては、フルオロアルケンは、テトラフルオロプロペン、より好ましくはＨＦＯ−１２３４ｙｆから実質的に構成される。広い組成範囲、中間的な組成範囲、及びより特定の組成範囲（全ての量は「約」が前置していると理解される）を下表に示し、ここでパーセントは下表２において示される成分の合計を基準とするものである。
【００９６】
【表２】
2018109185.tif 000013
【００９７】
本発明の幾つかの非常に好ましい態様は、約６５〜約７５重量％のＨＦＯ−１２３４ｙｆ及び約２５〜約３５重量％のＣＦ３Ｉ、更により好ましくは約７０重量％のＨＦＯ−１２３４ｙｆ及び約３０重量％のＣＦ３Ｉ（かかるパーセントは、ＨＦＯ及びＣＦ３Ｉの合
計重量を基準とするものである）を含む、特に自動車用空調システムにおいて用いるための熱伝達流体を含む。
【００９８】
本組成物の幾つかの非常に好ましい態様には、本発明にしたがって存在させる任意の安定剤に加えて、ＣＦ３Ｉ、本発明の幾つかのフルオロアルケン化合物（好ましくはＨＦＯ−１２３４ｚｅ）、及び／又は幾つかのＨＦＣ（好ましくはＨＦＣ−１５２ａ）を、下表に示す広い組成範囲、中間的な組成範囲、及びより特定の組成範囲（全ての量は「約」が前置していると理解される）（ここでパーセントは表３に示す３つの成分の合計を基準とするものである）にしたがって含ませることができる。
【００９９】
【表３】
2018109185.tif 000014
【０１００】
本組成物の幾つかの好ましい態様には、本発明の安定剤に加えて、ＣＦ３Ｉ、本発明の幾つかのフルオロアルケン化合物、及び／又は幾つかのＨＦＣ（好ましくはＨＦＣ−３２）を、下表に示す広い組成範囲、中間的な組成範囲、及びより特定の組成範囲（全ての量は「約」が前置していると理解される）（ここでパーセントは表４に示す３つの成分の合計を基準とするものである）にしたがって含ませることができる。
【０１０１】
【表４】
2018109185.tif 000015
【０１０２】
２．潤滑剤：
本発明の幾つかの形態によれば、本組成物は、１種類又は複数のヨードカーボン化合物に加えて潤滑剤又はオイルを含む。任意の様々な通常の潤滑剤を本発明の組成物において用いることができる。かかる組成物は、下記においてより完全に説明するように、加熱又は冷却サイクル装置において冷媒として用いるのに特によく適している。この組成物は、次に、水素原子及び炭素原子を有し、炭素原子に結合している水素原子の総数の１７％以下が第３級水素原子である少なくとも１種類の潤滑剤を含む。好ましくは、潤滑剤は、炭
素原子に結合している水素原子の総数の１％未満が第３級水素原子であり、より好ましくは第３級水素原子を有さず、即ちこの場合には、炭素原子に結合している水素原子の総数の約０％が第３級水素原子である。
【０１０３】
これはまた好ましくは、分子内に比較的低い割合の酸素を有し、好ましくは分子内に酸素を有しない。また、僅かな生来の濃度の極性溶媒、特に水しか有しない潤滑剤又はオイルを用いることが一般的に好ましい。潤滑剤に関して重要な要件は、コンプレッサーが潤滑されるのに十分な潤滑剤がシステムのコンプレッサーに戻されなければならないことである。而して、潤滑剤の安定性は、部分的には冷媒／潤滑剤の特性によって、及び部分的にはシステム特性によって定まる。好適な潤滑剤の例としては、鉱油、アルキルベンゼン類、例えば合成潤滑剤、具体的にはポリアルキレングリコール（ＰＡＧ）潤滑剤、好ましくは実質的に２つ以上のオキシプロピレン基から構成され、約３７℃において約１０〜約２００センチストークスの粘度を有するＰＡＧ（Idemitsu KosanによってND-8の商品名で販売されている）、及びDOWによってRL-897の商品名で販売されているＰＡＧ、ポリビニ
ルエーテル類（ＰＶＥ）などが挙げられる。好ましい潤滑剤としては、ナフテン系鉱油、パラフィン系鉱油、エステル油、ポリアルキレングリコール類、ポリビニルエーテル類、アルキルベンゼン類、ポリα−オレフィン類、ポリエステル類、ポリオールエステル類、又はこれらの組み合わせが挙げられる。パラフィン油又はナフテン系オイルを含む鉱油は商業的に入手できる。商業的に入手できる鉱油としては、WitcoからのWitco LP250（登録商標）、Shrieve ChemicalからのZerol 300（登録商標）、WitcoからのSunisco 3GS、及
びCalumetからのCalumet R015が挙げられる。商業的に入手できるアルキルベンゼン潤滑
剤としては、Zerol 150（登録商標）が挙げられる。商業的に入手できるエステルとして
は、Emery 2917（登録商標）及びHatcol 2370（登録商標）として入手できるネオペンチ
ルグリコールジペラルゴネートが挙げられる。他の有用なエステルとしては、ホスフェートエステル、二塩基酸エステル、及びフルオロエステルが挙げられる。幾つかの場合においては、炭化水素ベースのオイルはヨードカーボンを含む冷媒と十分な溶解性を有しており、ヨードカーボンと炭化水素オイルとの組み合わせは他のタイプの潤滑剤よりも安定である可能性がある。したがってかかる組み合わせは有利である可能性がある。ポリアルキレングリコール類は、可動型空調のような特定の用途において現在用いられているので、幾つかの態様においては非常に好ましい。異なる潤滑剤の混合物を用いることができる。
【０１０４】
本発明の一形態には、アルキルベンゼンベースの化合物、鉱油化合物、及びこれらの組み合わせを重量基準で主要な割合、更により好ましくは少なくとも約７５重量％で含む潤滑剤を選択することが含まれる。アルキルベンゼンに関しては、本出願人らは、かかる化合物は、好ましい冷媒組成物中における比較的高いレベルの混和性、及びかかる分子が本発明の熱伝達組成物及び熱伝達システムにおいて示す比較的高いレベルの安定性のために、これまで利用できた数多くの潤滑剤化合物の中でも好ましいことを見出した。本発明に関して用いるのに好ましい他の分子は、本発明においては便宜上（限定の目的ではない）エチレンオキシド／プロピレンオキシド（ＥＯ／ＰＯ）分子と呼ぶ。かかる分子は、好ましい態様においては下記に示す構造を有する。
【０１０５】
【化１１】
2018109185.tif 000016
【０１０６】
本出願人らは、かかるＥＯ／ＰＯ分子（本発明においては、分子のそれぞれの端部の上にメチル基或いは他の比較的短鎖長のアルキル基が存在するために「二重キャップＥＯ／ＰＯ分子」とも呼ぶ）は、それぞれの特定の用途に適合させるためにｎ及びｍ￥の値を調節する能力を与えることができることを見出した。このように、潤滑剤分子は、混和性と安定性の非常に有利な組み合わせを達成するように選択することができる。二重キャップ
分子が与える有利性は、下記の実施例において示すように、一端においてしかキャップされていない類似の分子よりも多くの点で実質的により良好である。米国特許４，９７５，２１２（参照として本明細書中に包含する）においては、このタイプの分子をキャップする技術が開示されている。一般的には好ましくないが、本発明の好ましい潤滑剤を１種類以上の通常の潤滑剤と組み合わせることもできる。
【０１０７】
空調又は冷却用途のために好適な好適なポリオールエステル潤滑剤は、通常は、ペンタエリトリトール、ジペンタエリトリトール、ネオペンチルグリコール、又はトリメチルプロパノールのようなポリアルコール又はポリオール化合物と、純粋か又は混合されている、約４〜約１０個の炭素原子を有する線状又は分岐モノカルボン酸のような線状又は分岐脂肪族カルボン酸との縮合によって製造される。ポリオールエステルベースストックポリオールはHatco Corporationから入手できる。例えば、Hatcol 3307はネオペンチルグリコールをベースとする純粋なポリオールエステルベースストックである。Hatcol 3329及びHatcol 3504は、ペンタエリトリトール混合脂肪酸エステルをベースとする純粋なポリオールエステル冷却ベースストックである。Hatcol 3316は、ジペンタエリトリトールと短鎖
脂肪酸のポリオールエステルである。かかるポリオールエステル潤滑剤配合物の他の例としては、Cognis ProEco（登録商標）ラインのポリオールエステル冷却潤滑剤、ICIのEMKARATE RLラインのポリオールエステル、並びにSolestのようなCPI Engineering Services,
Inc.の子会社のLubrizolによって提供されているポリオールエステル潤滑剤が挙げられ
る。本発明による好ましい組成物は、組成物の約２０重量％〜約５０重量％、好ましくは約２０重量％〜約３０重量％の量の潤滑剤を含む。
【０１０８】
３．他の成分：
任意の様々な他の添加剤を本発明の組成物において用いることができる。好適な添加剤の例としては、ニトロメタンのような金属不動態化剤、潤滑剤の潤滑性及び耐荷重特性を向上させる極圧（ＥＰ）添加剤が挙げられる。ＥＰ添加剤の例は、米国特許４，７５５，３１６（表Ｄ）（本明細書中に包含する）に記載されている。ＥＰ添加剤の例は、Lubrizol Corporationによって製造されているLubrizol（登録商標）8478などの有機ホスフェート類である。腐食抑制剤も有効であり、これは４，７５５，３１６（表Ｄ）に開示されている。
【０１０９】
ＩＩ．熱伝達組成物：
本発明の組成物には本明細書中において言及するそれぞれの化合物を広範囲の量で含ませることができると意図されるが、熱伝達組成物、特に本発明の冷媒組成物は、１種類又は複数のヨードカーボン化合物、更により好ましくはＣ１〜Ｃ３のヨードフルオロカーボン化合物を、組成物の少なくとも約２５重量％の量で含むことが一般に好ましい。組成物がＨＦＣ、特にＨＦＣ−１５２ａを含む幾つかの好ましい態様においては、この組成物は、少なくとも約４０重量％、更により好ましくは少なくとも約５０重量％のＨＦＣ−１５２ａを含む。
【０１１０】
本発明による好ましい冷媒又は熱伝達組成物、特に蒸気圧縮システム内で用いられるものは、潤滑剤を、一般に組成物の約３０〜約５０重量％の量で含む。潤滑剤に関する重要な要件は、コンプレッサーを潤滑するのに十分な潤滑剤がシステムのコンプレッサーに戻されなければならないことである。而して、潤滑剤の好適性は、部分的には冷媒／潤滑剤特性によって、及び部分的にはシステム特性によって定まる。好適な潤滑剤の例としては、鉱油、アルキルベンゼン類、ポリオールエステル類（ポリアルキレングリコール類を含む）、ポリビニルエーテル類（ＰＶＥ）などが挙げられる。パラフィン油又はナフテン系オイルを含む鉱油は商業的に入手できる。商業的に入手できる鉱油としては、Witcoから
のWitco LP250（登録商標）、Shrieve ChemicalからのZerol 300（登録商標）、Witcoか
らのSunisco 3GS、及びCalumetからのCalumet R015が挙げられる。商業的に入手できるア
ルキルベンゼン潤滑剤としては、Zerol 150（登録商標）が挙げられる。商業的に入手で
きるエステル類としては、Emery 2917（登録商標）及びHatcol 2370（登録商標）として
入手できるネオペンチルグリコールジペラルゴネートが挙げられる。他の有用なエステル類としては、リン酸エステル、二塩基酸エステル、及びフルオロエステルが挙げられる。幾つかの場合には、炭化水素ベースのオイルはヨードカーボンを含む冷媒と充分な溶解性を有し、ヨードカーボンと炭化水素オイルの組み合わせは他のタイプの潤滑剤よりも安定である可能性がある。したがって、かかる組み合わせは有利である可能性がある。好ましい潤滑剤としては、ポリアルキレングリコール類及びエステル類が挙げられる。ポリアルキレングリコール類は、可動型空調のような特定の用途において現在用いられているので、幾つかの態様においては非常に好ましい。もちろん、異なるタイプの潤滑剤の異なる混合物を用いることができる。
【０１１１】
また、本組成物の好ましい形態には、潤滑剤の相溶性及び／又は溶解性を促進する目的で、プロパンのような相溶化剤を含ませることもできる。プロパン、ブタン類、及びペンタン類などのかかる相溶化は、好ましくは、組成物の約０．５〜約５重量％の量で存在させる。また、米国特許６，５１６，８３７（その開示事項を参照として本明細書中に包含する）によって開示されているように、油溶性を促進させるために界面活性剤と可溶化剤の組み合わせを本組成物に加えることもできる。
【０１１２】
多くの既存の冷却システムは、現時点では既存の冷媒に関して用いるのに適しており、本発明の幾つかの組成物は、システムの修正を行うか又は行わないで、多くのかかるシステムにおいて用いるように適合させることができると考えられる。多くの用途において、本発明の組成物は、現在比較的高い能力を有する冷媒をベースとするシステムにおける代替物としての有利性を与えることができる。更に、例えばコストの理由から本発明のより低い能力の冷媒組成物を用いてより高い能力の冷媒を置き換えることが望ましい態様においては、本組成物のかかる態様は潜在的な有利性を与える。而して、幾つかの態様においては、本発明の組成物、特にＨＦＣ−１３４ａのような既存の冷媒に対する代替物として実質割合のトランス−ＨＦＯ−１２３４ｙｆを含み、幾つかの態様においては主要な割合のトランス−ＨＦＯ−１２３４ｙｆを含む組成物を用いることが好ましい。幾つかの用途においては、本発明の冷媒は、より大きい容積型圧縮機の有益な利用を潜在的に可能にし、これによって、ＨＦＣ−１３４ａのような他の冷媒よりも良好なエネルギー効率が得られる。したがって、本発明の冷媒組成物、特にトランス−ＨＦＰ−１２３４ｚｅを含む組成物は、冷媒を置き換える用途に関して、エネルギーベースで競争上の優位性を獲得する可能性を与える。
【０１１３】
特にＨＦＯ−１２３４（特にＨＦＯ−１２３４ｙｆ）を含むものなどの本発明の組成物はまた、商業用空調システムに関して通常用いられる冷凍機において有利性（元々のシステムにおいてか、或いはＲ−１２及びＲ−５００のような冷媒の代替として用いる場合のいずれか）を有する。幾つかのかかる態様においては、本ＨＦＯ−１２３４組成物中に、約０．５〜約６０％、より好ましくは約２０〜約５０重量％の燃焼性抑制剤、好ましくは本発明によるＣＦ３Ｉのようなヨードカーボンを含ませることが好ましい。
【０１１４】
而して、本方法、システム、及び組成物は、自動車用空調システム及び装置、商業用冷却システム及び装置、冷凍機、住宅用冷蔵庫及び冷凍庫、一般的な空調システム、ヒートポンプ、ＯＲＣ、ＣＲＣなどに関して用いるように適合させることができる。
【０１１５】
ＩＩＩ．発泡剤、フォーム、及び発泡性組成物：
また、発泡剤も、１種類以上の本組成物を含ませるか又はこれから構成することができる。上記で言及したように、本発明の組成物には、本発明の１種類又は複数のヨードカーボン化合物及び１種類又は複数のジエンベースの化合物を広範囲の量で含ませることがで
きる。しかしながら、本発明による発泡剤として使用するのに好ましい組成物に関しては、１種類又は複数のヨードカーボン化合物は、組成物の少なくとも約１重量％、更により好ましくは少なくとも約５０重量％の量で存在させることが一般に好ましい。
【０１１６】
幾つかの好ましい態様においては、本発明の発泡剤組成物は、ＨＦＯ−１２３４（好ましくはＨＦＯ−１２３４ｚｅ）に加えて、以下の成分：
ジフルオロメタン（ＨＦＣ−３２）；
ペンタフルオロエタン（ＨＦＣ−１２５）；
１，１，２，２−テトラフルオロエタン（ＨＦＣ−１３４）；
１，１，１，２−テトラフルオロエタン（ＨＦＣ−１３４ａ）；
ジフルオロエタン（ＨＦＣ−１５２ａ）；
１，１，１，２，３，３，３−ヘプタフルオロプロパン（ＨＦＣ−２２７ｅａ）；
１，１，１，３，３，３−ヘキサフルオロプロパン（ＨＦＣ−２３６ｆａ）；
１，１，１，３，３−ペンタフルオロプロパン（ＨＦＣ−２４５ｆａ）；
１，１，１，３，３−ペンタフルオロブタン（ＨＦＣ−３６５ｍｆｃ）；
水；
ＣＯ２；
ギ酸メチル及びその誘導体；
アルコール類（Ｃ１〜Ｃ４）及びその誘導体；
ケトン類及びその誘導体；
アルデヒド類及びその誘導体；
エーテル類／ジエーテル類及びその誘導体；
カーボネート類及びその誘導体；
ジカーボネート類及びその誘導体；並びに
カルボン酸及びそれらの誘導体：
の１以上を、共発泡剤、充填剤、蒸気圧調節剤としてか、もしくは任意の他の目的のために含む。
【０１１７】
本発明の発泡剤組成物には、シス−ＨＦＯ−１２３４ｚｅ、トランス−ＨＦＯ−１２３４ｚｅ、又はこれらの組み合わせを含ませることができると意図される。幾つかの好ましい態様においては、本発明の発泡剤組成物は、シス−ＨＦＯ−１２３４ｚｅ及びトランス−ＨＦＯ−１２３４ｚｅの組み合わせを、約１：９９〜約３０：７０、更により好ましくは約１：９９〜約５：９５のシス：トランスの重量比で含む。
【０１１８】
他の態様においては、本発明は、本発明の組成物を用いて製造される発泡性組成物、好ましくはポリウレタン、ポリイソシアヌレート、フェノール系フォーム、押出し熱可塑性フォーム組成物、インテグラルスキンフォーム、及び１成分又は２成分加圧フロスフォームを提供する。かかるフォームの態様においては、１種類以上の本組成物を、好ましくは当該技術において周知のフォーム又は気泡構造を形成するのに適当な条件下で反応及び／又は発泡させることができる１以上の更なる成分を含む発泡性組成物中に、発泡剤又はその一部として含ませる。本発明はまた、本発明の組成物を含む発泡剤を含むポリマーフォーム配合物から製造されるフォーム、好ましくは独立気泡フォームにも関する。更に他の態様においては、本発明は、ポリスチレン（ＰＳ）、ポリエチレン（ＰＥ）、ポリプロピレン（ＰＰ）、及びポリエチレンテレフタレート（ＰＥＴ）フォーム、好ましくは低密度フォームのような熱可塑性フォームを含む発泡性組成物を提供する。
【０１１９】
幾つかの好ましい態様においては、分散剤、気泡安定剤、界面活性剤、及び他の添加剤を本発明の発泡剤組成物中に含ませることもできる。界面活性剤は、場合によっては、しかしながら好ましくは、気泡安定剤として働かせるために加える。幾つかの代表的な材料は、米国特許２，８３４，７４８；２，９１７，４８０；及び２，８４６，４５８；（こ
れらのそれぞれを参照として本明細書中に包含する）に開示されているもののような、一般的にポリシロキサンポリオキシアルキレンブロックコポリマーである、DC-193、B-8404、及びL-5340の名称で販売されているものである。発泡剤混合物のための他の随意的な添加剤としては、トリ（２−クロロエチル）ホスフェート、トリ（２−クロロプロピル）ホスフェート、トリ（２，３−ジブロモプロピル）ホスフェート、トリ（１，３−ジクロロプロピル）ホスフェート、ジアンモニウムホスフェート、種々のハロゲン化芳香族化合物、酸化アンチモン、アルミニウム３水和物、ポリ塩化ビニルなどのような難燃剤を挙げることができる。
【０１２０】
ＩＶ．噴射剤組成物：
他の形態においては、本発明は、本発明の組成物を含むか又はこれから実質的に構成される噴射剤組成物を提供し、かかる噴射剤組成物は好ましくは噴霧可能な組成物である。本発明の噴射剤組成物は、好ましくは、噴霧する物質、及び本発明による組成物を含むか、これから実質的に構成されるか、又はこれから構成される噴射剤を含む。不活性成分、溶媒、及び他の物質を噴霧可能な混合物中に存在させることもできる。好ましくは、噴霧可能な組成物はエアゾールである。噴霧する好適な物質としては、限定なしに、消臭剤、香水、ヘアスプレー、洗顔クリーム、及び艶出し剤のような化粧物質、並びに抗喘息薬、及び口臭予防薬、並びに好ましくは吸入するように意図される任意の他の医薬又は薬剤などの任意の他の医薬などのような医薬物質が挙げられる。医薬又は他の治療剤は、好ましくは治療量で組成物中に存在させ、組成物の残りの相当割合は、本発明の式Ｉの化合物、好ましくはＨＦＯ−１２３４、更により好ましくはＨＦＯ−１２３４ｚｅを含む。
【０１２１】
工業用途、民生用途、又は医療用途のためのエアゾール製品は、通常は、１種類以上の噴射剤を、１種類以上の活性成分、不活性成分、又は溶媒と共に含む。噴射剤は、製品をエアゾール化した形態で吐出する力を与える。幾つかのエアゾール製品は、二酸化炭素、窒素、亜酸化窒素、及び更には空気などの圧縮気体を用いて噴射するが、殆どの市販のエアゾールは液化ガス噴射剤を用いる。最も通常的に用いられる液化ガス噴射剤は、ブタン、イソブタン、及びプロパンのような炭化水素である。ジメチルエーテル及びＨＦＣ−１５２ａ（１，１−ジフルオロエタン）も、単独か又は炭化水素噴射剤とのブレンドで用いられる。残念なことに、これらの液化ガス噴射剤の全てが高燃焼性であり、これらをエアゾール配合物中に導入すると、しばしば可燃性のエアゾール製品が得られる。
【０１２２】
本出願人らは、それを用いてエアゾール製品を配合する不燃性の液化ガス噴射剤に関する継続的な必要性を認識するに至った。本発明は、例えばスプレー式の洗浄剤、潤滑剤などをはじめとする幾つかの工業用エアゾール製品、及び例えば薬品を肺又は粘膜に供給するなどのための医薬用エアゾールにおいて用いるための本発明の組成物、特に及び好ましくはＨＦＯ−１２３４、更により好ましくはＨＦＯ−１２３４ｚｅ及び／又はＨＦＯ−１２３４ｙｆを含む組成物を提供する。この例としては、喘息及び他の慢性閉塞性肺疾患の治療のため、及び接近可能な粘膜又は鼻腔内に薬物を供給するための計量式吸入器（ＭＤＩ）が挙げられる。而して、本発明は、治療が必要な生物に薬物又は他の治療成分を含む本発明の組成物を適用することを含む、（人間や動物などの）生物の病気、疾病、及び類似の健康に関連する問題を処置するための方法を包含する。幾つかの好ましい態様においては、本組成物を適用する工程は、本発明の組成物を含むＭＤＩを与え（例えば、組成物をＭＤＩ中に導入し）、次に本組成物をＭＤＩから放出することを含む。
【０１２３】
本発明の組成物、特にＨＦＯ−１２３４（好ましくはＨＦＯ−１２３４ｚｅ及び／又はＨＦＯ−１２３４ｙｆ）を含むか又は主要な割合で含む組成物は、地球温暖化に実質的に寄与しない不燃性の液化ガス噴射剤及びエアゾールを提供することができる。本組成物は、接点洗浄剤、ダスター、潤滑剤スプレーなどのような種々の工業用エアゾール又は他の噴霧可能な組成物、並びに、パーソナルケア製品、家庭用品、及び自動車用品のような民
生用エアゾールを配合するために用いることができる。ＨＦＯ−１２３４ｚｅは、計量式吸入器のような医薬用エアゾールにおける噴射剤組成物の重要な成分として用いるのに特に好ましい。多くの用途における本発明の医薬用エアゾール及び／又は噴射剤及び／又は噴霧可能な組成物は、式（Ｉ）又は（ＩＩ）の化合物（好ましくはＨＦＯ−１２３４ｚｅ）に加えて、ベータ作用薬、コルチコステロイド、又は他の薬物、及び場合によっては、界面活性剤、溶媒、他の噴射剤、香味料、及び他の賦形剤のような他の成分を含む。本発明の組成物は、これらの用途においてこれまで用いられている多くの組成物とは異なり、良好な環境特性を有し、地球温暖化に寄与する可能性がないと考えられる。したがって、本組成物は、幾つかの好ましい態様においては、非常に低い地球温暖化係数を有する実質的に不燃性の液化ガス噴射剤を提供する。
【０１２４】
Ｖ．香味料及び香料：
本発明の組成物はまた、香味配合物及び香料配合物の一部として、特にこれらのためのキャリヤーとして用いる場合にも有利性を与える。この目的に関する本組成物の好適性は、０．３９ｇのジャスモンを厚肉のガラス管の中に入れる試験手順によって示される。１．７３ｇのＲ−１２３４ｚｅをガラス管に加えた。次に、管を冷凍し、密閉した。管を解凍すると、混合物は一つの液相を有していることが分かった。この溶液は２０重量％のジャスモン及び８０重量％のＲ−１２３４ｚｅを含んでおり、而してエアゾール及び他の配合物中の香味配合物のためのキャリア又は伝達システムの一部としてのその好ましい使用が確立された。また、植物などからの香料の抽出剤としてのその可能性も確率される。幾つかの態様においては、超臨界状態の本流体を用いて抽出用途において本組成物を用いることが好ましい可能性がある。超臨界又は近超臨界状態の本組成物を用いることを伴うこの用途及び他の用途を以下に説明する。
【０１２５】
ＶＩ．安定剤組成物：
本発明は、一形態においては、任意の１つの上記組成物中の添加剤としてか、又はより一般的には１種類又は複数のヨードカーボン化合物を含むか又はこれに曝露される任意の組成物のための添加剤として使用するための安定剤組成物を提供する。したがって、かかる組成物においては、１種類又は複数のヨードカーボン化合物を存在させる必要性はないが、上記のジエンベースの化合物を存在させることが必要である。好ましい態様においては、本発明の安定剤組成物は、１種類又は複数のジエンベースの化合物、並びに、上記の更なる安定剤の群から選択され、好ましくは１種類又は複数のフェノール化合物、１種類又は複数のエポキシ化合物、ホスファイト類、ホスフェート類、及びこれらの組み合わせからなる群から選択される少なくとも１種類の更なる安定剤の組合せを含む。
【０１２６】
ＶＩ．方法及びシステム：
本発明の組成物は、冷却、空調、及びヒートポンプシステムにおいて用いる冷媒のような熱を伝達する方法及びシステムにおける熱伝達流体などとして、数多くの方法及びシステムに関して有用である。本組成物はまた、好ましくはかかるシステム及び方法においてエアゾール噴射剤を含むか又はそれから構成されるエアゾールを生成させるシステム及び方法において用いるのにも有利である。フォームを形成する方法、並びに消火及び鎮火する方法も、本発明の幾つかの形態に含まれる。本発明はまた、幾つかの形態においては、かかる方法及びシステムにおいて本組成物を溶媒組成物として用いる、物品から残留物を除去する方法も提供する。
【０１２７】
Ａ．熱伝達方法：
好ましい熱伝達方法は、一般に、本発明の組成物を与え、組成物の相を変化させることによるか及び／又は顕熱伝達によって組成物へ又は組成物から熱を伝達させることを含む。例えば、本方法は、好ましくは本冷媒組成物を冷却する物体又は流体の近傍で蒸発させて本組成物を含む蒸気を生成させることにより流体又は物品から熱を吸収することによっ
て冷却を与える。好ましくは、本方法は、通常はコンプレッサー又は同様の装置によって冷媒蒸気を圧縮して比較的高圧の本組成物の蒸気を生成させる更なる工程を含む。一般に、蒸気を圧縮する工程によって蒸気に対して熱が加えられ、これにより比較的高圧の蒸気の温度上昇が引き起こされる。好ましくは、本方法は、この比較的高温で高圧の蒸気から、蒸発工程及び圧縮工程によって加えられる熱の少なくとも一部を取り出すことを含む。熱取り出し工程は、好ましくは、蒸気が比較的高圧条件にある間に高温で高圧の蒸気を凝縮して、本発明の組成物を含む比較的高圧の液体を生成させることを含む。この比較的高圧の液体は、好ましくは、次に見かけ上等エンタルピーの減圧にかけて、比較的低温で低圧の液体を生成させる。かかる態様においては、この低下した温度の冷媒液体を、次に冷却する物体又は流体から伝達される熱によって蒸発させる。
【０１２８】
本発明の他の方法の態様においては、本発明の組成物は、加熱する液体又は物体の近傍で本組成物を含む冷媒を凝縮することを含む、加熱を生成させる方法において用いることができる。かかる方法は、上述したように、上記の冷却サイクルに対して逆のサイクルであることが多い。
【０１２９】
Ｂ．フォーム発泡方法：
本発明の一態様は、フォーム、好ましくはポリウレタン及びポリイソシアヌレートフォームを形成する方法に関する。この方法は、一般に、当該技術において周知なように、本発明の発泡剤組成物を与え、発泡剤組成物を（直接又は間接に）発泡性組成物に加え、そしてフォーム又は気泡構造を形成するのに有効な条件下で発泡性組成物を反応させることを含む。"Polyurethanes Chemistry and Technology", I巻及びII巻, Saunders及びFrisch, 1962, John Wiley and Sons, New York, NY,（参照として本明細書中に包含する）に
記載されているもののような当該技術において周知の任意の方法を、本発明のフォームの態様にしたがって用いるか又は用いるように適合させることができる。一般に、かかる好ましい方法は、イソシアネート類、ポリオール類又は複数のポリオールの混合物、１種類以上の本組成物を含む発泡剤又は複数の発泡剤の混合物、並びに触媒、界面活性剤、及び場合によっては難燃剤、着色剤、又は他の添加剤のような他の材料を配合することによってポリウレタン又はポリイソシアヌレートフォームを生成させることを含む。
【０１３０】
ポリウレタン又はポリイソシアヌレートフォームのための成分を予めブレンドした配合物で与えることが、多くの用途において好都合である。最も通常的には、フォーム配合物は、二つの成分に予めブレンドする。イソシアネート及び随意的な幾つかの界面活性剤及び発泡剤は、通常は「Ａ」成分と呼ばれる第一の成分を構成する。ポリオール又はポリオール混合物、界面活性剤、触媒、発泡剤、難燃剤、及び他のイソシアネート反応性成分は、通常は「Ｂ」成分と呼ばれる第二の成分を構成する。したがって、Ａ及びＢ側の成分を、小さな調製物のために手での混合によるか、及び好ましくはブロック、スラブ、積層体、現場注入パネル、及びその他の物品、噴霧適用フォーム、フロスなどを形成する機械混合技術によって混合することにより、ポリウレタン又はポリイソシアヌレートフォームが容易に製造される。場合によっては、難燃剤、着色剤、発泡剤、及び更に他のポリオール類のような他の成分を、混合ヘッド又は反応場所に第３の流れとして加えることができる。また場合によっては、これらの成分のそれぞれを、部分的にはＢ成分に、及び部分的には第３の流れとして混合ヘッド又は反応場所に加えることができる。しかしながら、最も好ましくは、これらは全て上記の１つのＢ成分中に導入する。
【０１３１】
また、本発明の組成物を用いて熱可塑性フォームを製造することもできる。例えば、通常のポリスチレン及びポリエチレン配合物を通常の方法で本組成物と混合して硬質フォームを製造することができる。
【０１３２】
Ｃ．洗浄方法：
本発明はまた、物品に本発明の組成物を適用することによって、製品、部材、部品、基材、又は任意の他の物品又はその一部から汚染物質を除去する方法も提供する。便宜上の目的から、「物品」という用語は、本明細書においては、全てのかかる製品、部材、部品、基材などを指すように用いられ、また更には、任意の表面又はその一部を指すように意図される。更に、「汚染物質」という用語は、物質が物品の上に意図的に置かれている場合であっても、物品の上に存在する任意の望ましくない材料又は物質を指すように意図されている。例えば、半導体デバイスの製造においては、基板の上にフォトレジスト材料を堆積させてエッチング工程のためのマスクを形成し、次いでフォトレジスト材料を基板から除去するのが通常的である。本明細書において用いる「汚染物質」という用語は、そのようなフォトレジスト材料をカバーし且つ包含するように意図される。
【０１３３】
本発明の好ましい方法は、本組成物を物品に適用することを含む。多くの様々な洗浄方法において本発明の組成物を良好に用いることができると意図されるが、本組成物は、超臨界洗浄法に関して用いるのが特に有利であると考えられる。超臨界洗浄は、本発明の譲受人に譲渡され、参照として本明細書中に包含する米国特許６，５８９，３５５に開示されている。超臨界洗浄用途のためには、幾つかの態様において、ＨＦＯ−１２３４（好ましくはＨＦＯ−１２３４ｚｅ）に加えて、ＣＯ２、及び超臨界洗浄用途に関して用いることが公知の他の更なる成分のような１以上の更なる成分を本洗浄組成物中に含めるのが好ましい。また、幾つかの態様においては、特定の蒸気脱脂及び溶媒洗浄法に関して本洗浄組成物を用いることが可能で且つ望ましい可能性もあり、幾つかの用途、特に複雑な部品を含み、汚れを除去することが困難なもののためには、蒸気脱脂及び溶媒洗浄法が特に好ましい。好ましい蒸気脱脂及び溶媒洗浄法は、物品を好ましくは室温において沸騰している溶媒の蒸気に曝露することから構成される。物体の上で蒸気を凝縮させることは、比較的清浄な蒸留した溶媒を与えて、油脂又は他の汚染物質を洗浄除去する有利性を有する。而して、かかるプロセスは、物体を単純に液体溶媒中で洗浄する場合と比べて、本溶媒組成物を物体から最終的に蒸発させることによって比較的僅かな残留物しか残留させないという更なる有利性を有する。
【０１３４】
物品が除去するのが困難な汚染物質を含む用途に関しては、本発明は、本発明の溶媒組成物の温度を、雰囲気温度より高い温度か、又はかかる用途において溶媒の洗浄作用を実質的に向上させるのに有効な任意の他の温度に上昇させることを含むことが好ましい。かかるプロセスはまた、物品、特に金属部品及びアセンブリの洗浄を効率的且つ迅速に行わなければならない大型組立ラインの運転のためにも一般的に好ましい。
【０１３５】
好ましい態様においては、本発明の洗浄方法は、洗浄する物品を、昇温温度、更により好ましくはほぼ溶媒の沸点において液体溶媒中に浸漬することを含む。かかる操作においては、この工程によって、好ましくは物品から目標汚染物質の相当量、更により好ましくは大部分が除去される。この工程に続いて、好ましくは、物品を、前段の浸漬工程における液体溶媒の温度より低い温度、好ましくはほぼ雰囲気温度又は室温の溶媒、好ましくは新たに蒸留した溶媒中に浸漬する。好ましい方法はまた、次に、好ましくは初めに言及した浸漬工程に関連する高温／沸騰溶媒からの溶媒蒸気すすぎに物品を曝露することによって、物品を本溶媒組成物の比較的高温の蒸気と接触させる工程も含む。これにより好ましくは、物品上で溶媒蒸気が凝縮する。幾つかの好ましい態様においては、最終すすぎの前に物品に蒸留した溶媒を噴霧することができる。
【０１３６】
数多くの種類及びタイプの蒸気脱脂装置を本方法に関して用いるように適合させることができると意図される。かかる装置及びその運転の一例は、Sherlikerらの米国特許３，
０８５，９１８（参照として本明細書中に包含する）によって開示されている。Sherlinkerらにおいて開示されている装置は、溶媒組成物を収容するための沸騰液ため、蒸留した溶媒を収容するための清浄液ため、水分離器、及び他の付属装置を含む。
【０１３７】
本洗浄方法にはまた、汚染されている物品を、雰囲気温度又は室温条件下において本発明の流体組成物中に浸漬するか、或いはかかる条件下において溶媒中に浸したぼろきれ又は同様の物体で拭き取る常温洗浄を含ませることもできる。
【０１３８】
幾つかの好ましい洗浄方法は、基材を本発明による組成物でフラッシングすることを含む。
Ｄ．可燃性低減法：
幾つかの他の好ましい態様によれば、本発明は、流体に本発明の化合物又は組成物を加えることを含む、流体の可燃性を低減する方法を提供する。任意の広範囲の可燃性流体に関する可燃性を、本発明によって低減させることができる。例えば、エチレンオキシド、可燃性ヒドロフルオロカーボン、及び炭化水素、例えばＨＦＣ−１５２ａ、１，１，１−トリフルオロエタン（ＨＦＣ−１４３ａ）、ジフルオロメタン（ＨＦＣ−３２）、プロパン、ヘキサン、オクタンなどのような流体に関する可燃性を、本発明によって低減させることができる。例えば、本発明による幾つかの組成物には、ＣＦ３Ｉ及びＨＦＣ−１５２ａを、これらの２つの成分の合計重量を基準として、０より多く約３８．５％までのＣＦ３Ｉ、より好ましくは０より多く約３５％までのＣＦ３Ｉ、並びに約６１．５乃至約１００未満、更により好ましくは約６５乃至約１００未満のＨＦＣ−１５２ａの量で含ませることができる。本発明の目的のためには、可燃性流体とは、ＡＳＴＭ−Ｅ−６８１などのような任意の標準的な通常の試験方法によって測定して空気中において可燃範囲を示す任意の流体であってよい。
【０１３９】
本発明にしたがって、任意の好適な量の本化合物又は組成物を加えて流体の可燃性を低減させることができる。当業者に認識されるように、加える量は、少なくとも部分的に、対象の流体の可燃性の程度、及びその可燃性を低減することが所望されている程度によって定まる。幾つかの好ましい態様においては、可燃性流体に加えられる化合物又は組成物の量は、得られる流体を実質的に不燃性にするのに有効なものである。
【０１４０】
Ｅ．炎抑制方法：
本発明は更に、炎を本発明の化合物又は組成物を含む流体と接触させることを含む、炎を抑制する方法を提供する。炎を本組成物と接触させるために任意の好適な方法を用いることができる。例えば、本発明の組成物を炎の上に噴霧、注ぐなどすることができ、あるいは炎の少なくとも一部を組成物中に浸漬させることができる。本明細書における教示を考慮すると、当業者は、種々の通常の炎抑制装置及び方法を本発明において用いるように容易に適用させることができるであろう。
【０１４１】
Ｆ．滅菌方法：
特に医療分野で用いるための多くの物品、器具、及び材料は、患者及び病院職員の健康及び安全のような健康上及び安全上の理由のために、使用する前に滅菌しなければならない。本発明は、滅菌する物品、器具、又は材料を、本発明の化合物又は組成物と接触させることを含む滅菌方法を提供する。かかる方法は、高温又は低温滅菌方法のいずれでもよい。幾つかの態様においては、高温滅菌は、滅菌する物品、器具、又は材料を、約２５０°Ｆ〜約２７０°Ｆの温度において、好ましくは実質的に密閉されたチャンバー内で本発明の化合物又は組成物を含む高温の流体に曝露することを含む。このプロセスは、通常は約２時間未満で完了させることができる。しかしながら、プラスチック物品及び電気部品のような幾つかの物品はそのような高温に耐えることができず、低温滅菌が必要である。
【０１４２】
本発明の低温滅菌は、本発明の化合物又は組成物を約１００〜約２００°Ｆの温度で用いることを含む。本発明の化合物を、例えばエチレンオキシド（ＥＯ）、ホルムアルデヒド、過酸化水素、二酸化塩素、及びオゾンのような他の通常の化学滅菌剤と混合して、本
発明の滅菌剤組成物を形成することができる。
【０１４３】
本発明の低温滅菌は、好ましくは、実質的に密閉され、好ましくは気密のチャンバー内で行なう少なくとも２工程のプロセスである。第１工程（滅菌工程）においては、洗浄して気体透過性の袋の中に被包した物品をチャンバー内に配置する。次に、真空に引き、及び場合によっては空気を水蒸気で置き換えることによって、チャンバーから空気を排気する。幾つかの態様においては、チャンバー中に水蒸気を注入して、好ましくは約３０％〜約７０％の範囲の相対湿度を達成することが好ましい。そのような湿度は、所望の相対湿度が達成された後にチャンバー中に導入される滅菌剤の滅菌効果を最大にすることができる。滅菌剤が被包を透過して物品の隙間に到達するのに十分な時間の後、滅菌剤と水蒸気をチャンバーから排気する。
【０１４４】
このプロセスの好ましい第２工程（通気工程）においては、物品を通気して滅菌剤残留物を除去する。かかる残留物を除去することは、毒性の滅菌剤の場合においては特に重要であるが、実質的に非毒性の本発明の化合物を用いる場合においては随意である。代表的な通気プロセスとしては、空気洗浄、連続通気、及びこれら２つの組み合わせが挙げられる。空気洗浄はバッチプロセスであり、通常はチャンバーを比較的短い時間、例えば１２分間排気し、次いでチャンバー中に空気を大気圧以上で導入することを含む。このサイクルを、滅菌剤の所望の除去が達成されるまで任意の回数繰り返す。連続通気は、通常は、チャンバーの一方の側の入口を通して空気を導入し、次に、出口にわずかな真空を加えることによって、チャンバーの他方の側の出口を通してそれを抜き出すことを含む。しばしば、これら２つのアプローチが組み合わせられる。例えば、通常のアプローチは、空気洗浄を行い、次に通気サイクルを行うことを含む。
【０１４５】
Ｇ．安定化方法：
本発明は更に、トリフルオロヨードメタンのようなヨードカーボンを含む組成物を安定化させる方法を提供する。好ましい方法工程は、少なくとも１種類のヨードカーボン化合物を与え、この化合物を、本発明の１種類又は複数のジエンベースの化合物に曝露することによって少なくとも１種類のヨードカーボン化合物を安定化させることを含む。多くの態様においては、ヨードカーボンを与える工程は、上記の特定のタイプの組成物などの組成物を与え、好ましくは本発明の有効量の安定剤組成物をヨードカーボン組成物と混合することによってかかる組成物に本発明のジエンベースの化合物を加えることを含む。
【０１４６】
Ｈ．超臨界方法：
一般に、本明細書で記載する使用及び方法の多くは、超臨界又は近超臨界状態の本組成物を用いて実行することが可能であると考えられる。例えば、特に、アルカロイド（通常は植物源に由来する）、例えば、カフェイン、コデイン、及びパパベリンのような物質、一般に触媒として有用であるメタロセンのような有機金属材料、並びにジャスモンのような香料及び香味料に関して用いるために、本明細書中に述べる溶媒及び溶媒抽出用途において本組成物を利用することができる。
【０１４７】
本組成物は、好ましくはそれらの超臨界又は近超臨界状態で、固体担体上に触媒、特に有機金属触媒を堆積させることを含む方法に関して使用することができる。１つの好ましい態様においては、これらの方法は、好ましくは、かかる触媒粒子を超臨界又は近超臨界状態の本組成物から沈殿させることによって微粉砕触媒粒子を生成させる工程を含む。幾つかの好ましい態様においては、本方法にしたがって製造される触媒は優れた活性を示すことが予想される。
【０１４８】
また、本明細書中に記載する幾つかのＭＤＩ方法及びデバイスにおいて微粉砕形態の薬剤を用いることができると意図されており、かかる状況においては、本発明は、好ましく
は、好ましくは超臨界又は近超臨界状態の本組成物中にかかる粒子を溶解することによって、アルブテロールのような微粉砕薬剤粒子を本流体中に導入する工程を含む方法を提供すると意図される。本流体が超臨界又は近超臨界状態であるときに材料の溶解性が比較的低い場合には、アルコール類のような添加溶剤を使用することが好ましい可能性がある。
【０１４９】
また、超臨界又は近超臨界状態の本組成物は、回路基板並びに他の電子材料及び物品を清浄化するために使用することができる。
幾つかの材料は、特に超臨界又は近超臨界状態にある場合の本組成物中において非常に限定された溶解度を有する可能性がある。かかる状況に関しては、二酸化炭素のような他の超臨界又は近超臨界溶媒中の溶液からかかる低溶解度の溶質を沈殿させるための反溶媒として本組成物を使用することができる。例えば、熱可塑性フォームの押出プロセスにおいては超臨界二酸化炭素がしばしば用いられ、そして本組成物はその中に含まれる幾つかの材料を沈殿させるために使用することができる。
【０１５０】
また、幾つかの態様においては、超臨界又は近超臨界状態の本組成物を発泡剤として利用することが望ましい可能性があることも意図される。
【実施例】
【０１５１】
以下の実施例によって本出願を更に説明するが、これらは例示であり、いかなるようにも限定することは意図しない。
実施例Ｉ：
実施例Ｉ−１：
本実施例は、ＣＦ３Ｉ、ＰＡＧ油、及びイソプレンを含む本発明の安定化組成物を示す。
【０１５２】
トリフルオロヨードメタン（２５重量％）及びＨＦＯ−１２３４ｙｆ（７５重量％）の混合物（１．６ｇ）を、９９重量％のＰＡＧ油及び１重量％のイソプレンを含む３ｇの組成物に加えた。得られた混合物を、アルミニウム、鋼材、及び銅の金属片と共にガラス管中に配置し、次に管を密封した。密封されたガラス管を３００゜Ｆのオーブン中に２週間配置した。この時間の後、管を取り出して観察した。
【０１５３】
観察の結果、混合物は１つの相であり、これは冷媒がこの時間中においてＰＡＧ油中に混和性及び可溶性のままであったことを示した。更に、管内の液体は透明な明黄色であった。鋼材片の外観は変化していなかった。
【０１５４】
ガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは約０．２３±０．０７重量％であった。
【０１５５】
実施例Ｉ−２：
本実施例は、ＣＦ３Ｉ、ＰＡＧ油、及びミルセンを含む本発明の安定化組成物を示す。
トリフルオロヨードメタン（２５重量％）及びＨＦＯ−１２３４ｙｆ（７５重量％）の混合物（１．６ｇ）を、９９重量％のＰＡＧ油及び１重量％のミルセンを含む３ｇの組成物に加えた。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出して観察した。
【０１５６】
観察の結果、混合物は１つの相であり、これは冷媒がこの時間中においてＰＡＧ油中に混和性及び可溶性のままであったことを示した。更に、管内の液体は透明な明黄色であっ
た。鋼材片の外観は変化していなかった。
【０１５７】
ガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは０．２７重量％であった。実験を繰り返したところ、結果は０．２８重量％のＨＦＣ−２３であった。
【０１５８】
実施例Ｉ−３：
本実施例は、ＣＦ３Ｉ、ＰＡＧ油、及びファルネソールを含む本発明の安定化組成物を示す。
【０１５９】
トリフルオロヨードメタン（２５重量％）及びＨＦＯ−１２３４ｙｆ（７５重量％）の混合物（１．６ｇ）を、９９重量％のＰＡＧ及び１重量％のファルネソールを含む３ｇの組成物に加えた。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出して観察した。
【０１６０】
観察の結果、混合物は１つの相であり、これは冷媒がこの時間中においてＰＡＧ油中に混和性及び可溶性のままであったことを示した。更に、管内の液体は透明な明黄色であった。鋼材片の外観は変化していなかった。
【０１６１】
ガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは０．１６重量％であった。
【０１６２】
実施例Ｉ−４：
本実施例は、ＣＦ３Ｉ、ＰＡＧ油、及びゲラニオールを含む本発明の安定化組成物を示す。
【０１６３】
トリフルオロヨードメタン（２５重量％）及びＨＦＯ−１２３４ｙｆ（７５重量％）の混合物（１．６ｇ）を、９９重量％のＰＡＧ油及び１重量％のゲラニオールを含む３ｇの組成物に加えた。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出して観察した。
【０１６４】
観察の結果、混合物は１つの相であり、これは冷媒がこの時間中においてＰＡＧ油中に混和性及び可溶性のままであったことを示した。更に、管内の液体は透明な明黄色であった。鋼材片の外観は変化していなかった。
【０１６５】
ガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは０．１４重量％であった。
【０１６６】
実施例Ｉ−５：
本実施例は、ＣＦ３Ｉ、ポリアルキレングリコール潤滑剤、及びミルセンを、オイル中の添加剤としてのトリフェニルホスファイト（DP-213、Dover Chemicalから入手できる）と共に含む本発明の安定化組成物を示す。
【０１６７】
トリフルオロヨードメタン（約９重量％）及びＨＦＯ−１２３４ｙｆ（約９１重量％）の混合物（１．６ｇ）を、９９重量％のポリアルキレングリコール潤滑剤（Motorcraft PAG Refrigerant Compressor Oilとして商業的に入手できる）及び上記のパラグラフに記
載の１重量％の添加剤を含む３ｇの組成物に加えた。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出して観察した。
【０１６８】
観察の結果、混合物は１つの相であり、これはヨードカーボン化合物がこの時間中においてＰＡＧ油中に混和性及び可溶性のままであることを示した。更に、管内の液体は透明な明黄色であった。鋼材片の外観は変化していなかった。
【０１６９】
ガラス管を開放し、気体を引き抜いた。気体を、トリフルオロヨウ化物と反応したオイルの分解生成物であるＨＦＣ−２３の存在に関してガスクロマトグラフィーによって試験した。確認されたＨＦＣ−２３のレベルは約０．２重量％であった。
【０１７０】
実施例Ｉ−６：
本実施例は、ＣＦ３Ｉ及びポリアルキレングリコール潤滑剤、並びにミルセンから構成される安定剤を含む本発明の安定化組成物を示す。
【０１７１】
トリフルオロヨードメタン（１．６ｇ）を、ミルセンを含む３ｇのポリアルキレングリコール潤滑剤（ミルセンは潤滑剤の全重量を基準として１重量％の量で存在する）に加えた。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出して観察した。
【０１７２】
観察の結果、混合物は１つの相であり、これは冷媒がＰＡＧ油中において混和性及び可溶性であることを示した。更に、管内の液体は透明な明黄色であった。鋼材片の外観は変化していなかった。
【０１７３】
ガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは０．２３重量％であった。
【０１７４】
実施例Ｉ−７：
本実施例は、鉱油中のＣＦ３Ｉの分解のレベルが添加剤のミルセン及びDoverphos DP213の組み合わせによって劇的に減少することを示す。
【０１７５】
トリフルオロヨードメタン（２５重量％）及びＨＦＯ−１２３４ｙｆ（７５重量％）の混合物（１．６ｇ）を、３ｇの鉱油に加えた。鉱油は、０．５重量％のミルセン及び０．５重量％のDoverphos DP-213を含んでいた。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出した。
【０１７６】
ガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは０．０８重量％であった。実験を繰り返したところ、結果は０．０８重量％のＨＦＣ−２３であった。
【０１７７】
比較実施例Ｉ−１：
トリフルオロヨードメタン（約９重量％）及びＨＦＯ−１２３４ｙｆ（約９１重量％）の混合物（１．６ｇ）を、９９重量％のポリアルキレングリコール潤滑剤（Motorcraft PAG Refrigerant Compressor Oilとして商業的に入手できる）を含む３ｇの組成物に加え
た。安定剤添加剤は用いなかった。得られた混合物を、アルミニウム、鋼材、及び銅の金属片と共にガラス管中に配置し、次に管を密封した。密封されたガラス管を３００゜Ｆのオーブン中に２週間配置した。かかる時間の後、管を取り出して観察した。
【０１７８】
観察の結果、混合物は１つの相であり、これは冷媒組成物が、この時間中において鉱油中に混和性及び可溶性のままであったことを示した。曝露の後、金属片は変色し、潤滑剤の色は暗褐色であった。
【０１７９】
ガラス管を開放し、気体を引き抜いた。気体を、トリフルオロヨウ化物と反応したオイルの分解生成物であるＨＦＣ−２３の存在に関してガスクロマトグラフィーによって試験した。確認されたＨＦＣ−２３のレベルは約１．０重量％であった。
【０１８０】
比較実施例Ｉ−２：
トリフルオロヨードメタン（２５重量％）及びＨＦＯ−１２３４ｙｆ（７５重量％）の混合物（１．６ｇ）を、３ｇの鉱油に加えた。得られた混合物を、アルミニウム、鋼材、及び銅の金属片と共にガラス管中に配置し、次に管を密封した。密封されたガラス管を３００゜Ｆのオーブン中に２週間配置した。
【０１８１】
２週間の曝露の後にガラス管を開放し、気体を引き抜いた。気体を、トリフルオロヨウ化物と反応したオイルの分解生成物であるトリフルオロメタン（ＨＦＣ−２３）の存在に関してガスクロマトグラフィーによって試験した。確認されたＨＦＣ−２３のレベルは０．７６重量％であった。実験を繰り返したところ、結果は１．５１重量％のＨＦＣ−２３であった。
【０１８２】
実施例ＩＩ：
本実施例は、ＣＦ３Ｉ／ＨＦＯ−１２３４ｙｆの３０／７０ブレンド、ＰＡＧ油（RL-897）、及び安定化化合物を含む本発明の安定化組成物を示す。４ｇのRL-897及び１．６２ｇのＣＦ３Ｉ／ＨＦＯ−１２３４ｙｆブレンドを、アルミニウム、鋼材、及び銅で形成した金属アセンブリと一緒に密封したガラス管中に配置した。密封された管を３００℃のオーブン中に２週間配置した。オーブンから管を取り出し、冷却し、開放し、気体を引き抜いた。
【０１８３】
これらの条件下においては、ＣＦ３Ｉの分解生成物は気相のＲ−２３である。したがって、気体を、その中のＲ２３の量に関して分析した。また、添加剤を加えない基準検査も試験した。
【０１８４】
関心はＣＦ３Ｉの分解であるので、オイル中１％の添加剤を、分解生成物のレベルに対するそれらの効果に関して試験した。結果を下表Ｉに示す。
【０１８５】
【表５】
2018109185.tif 000017
【０１８６】
安定剤のホスフェート、２，４−ジメチル−６−ｔｅｒｔ−ブチルフェノール、アリルグリシジルエーテル、トコフェロール、及びヘキサングリシジルエーテルに関する結果は、ＣＦ３Ｉ／ＨＦＯ−１２３４ｙｆの３０／７０ブレンドにおけるＣＦ３ＩのＲ２３への分解が減少したことを示す。安定剤のミルセン、ゲラニオール、ファルネソール、リモネン、ジフェニルホスフェート、１，２−エポキシヘキセン、ジラウリルハイドロジェンに関する結果は、ＣＦ３ＩのＲ２３への分解が大きく減少したことを示した。
【０１８７】
実施例ＩＩＩ：
本実施例は、ＣＦ３Ｉ／ＨＦＣ−３２の３０／７０ブレンド、ＰＡＧ油（ND-8）、及び安定化化合物を含む本発明の安定化組成物を示す。２ｇのND-8及び２ｇのＣＦ３Ｉ／ＨＦＣ−３２ブレンドを、アルミニウム、鋼材、及び銅で形成した金属アセンブリと一緒に密封したガラス管中に配置した。密封された管を３００℃のオーブン中に１週間配置した。
オーブンから管を取り出し、冷却し、開放し、気体を引き抜いた。
【０１８８】
これらの条件下においては、ＣＦ３Ｉの分解生成物は、気相のＲ−２３及び油中のヨウ化物イオンである。したがって、オイルを、その中のヨウ化物の量に関して分析した。気体は、その中のＲ２３の量に関して分析した。
【０１８９】
３０／７０ブレンドに加えて、ＣＦ３Ｉ／ＨＦＣ−３２の１０／９０ブレンドについて試験を行った。それぞれのブレンドに関して添加剤を加えない基準試験を行った。関心はＣＦ３Ｉの分解であるので、オイル中１％の添加剤を、分解生成物のレベルに対するそれらの効果に関して試験した。結果を下表ＩＩ及びＩＩＩに示す。
【０１９０】
【表６】
2018109185.tif 000018
【０１９１】
【表７】
2018109185.tif 000019
【０１９２】
３０／７０ブレンドに関するベースラインは、０．７３％のＲ２３及び１９５ｐｐｍのヨウ化物濃度を与えた。３つの比較添加剤に関しては、生成したＲ２３の量はより多く、これは幾つかの添加剤は有害である可能性があることを示す。対応するヨウ化物濃度は、より大きいか、又は大きくは減少していなかった。
【０１９３】
安定剤のファルネソール、ミルセン、ブタジエン、及びナフチルグリシジルエーテルに
関する結果は、ＣＦ３Ｉ／ＨＦＣ−３２の３０／７０ブレンドにおけるＣＦ３ＩのＲ２３への分解が実質的に減少したことを示す。同様に、ヨウ化物濃度は、添加剤を用いないか又は比較試料の１つを用いた場合よりも遙かに低かった。
【０１９４】
ＣＦ３Ｉ／ＨＦＣ−３２の１０／９０ブレンドにおいて用いたファルネソールに関する結果は、Ｒ２３及びヨウ化物の濃度の両方が減少したことを示す。
【外国語明細書】
2018109185000001.pdf